(57)【特許請求の範囲】
【請求項１】
時分割複信システムにおける通信方法であって、
基地局により、無線フレーム構成情報を決定するステップと、
前記基地局により、前記決定した無線フレーム構成情報をユーザ機器ＵＥへ送信するステップであって、前記無線フレーム構成情報は、１つの無線フレームのＮ個の連続するダウンリンクサブフレームのうちの少なくとも１つを第１サブフレームとして設定するよう前記ＵＥに指示するために使用され、及び／又は前記無線フレーム構成情報は、１つの無線フレームのＭ個の連続するアップリンクサブフレームのうちの少なくとも１つを第２サブフレームとして設定するよう前記ＵＥに指示するために使用され、前記第１サブフレームはアップリンクサービス送信のために使用され、前記第２サブフレームはダウンリンクサービス送信のために使用され、Ｎ及びＭは２以上の正整数である、ステップと、
前記基地局により、前記無線フレーム構成情報に従い構成された無線フレームを用いることにより、前記ＵＥと通信するステップと、
を含み、
前記第１サブフレームは、保護期間と、アップリンクサービス送信のために使用される少なくとも１つの第１シンボルと、を含み、前記保護期間は前記第１シンボルに先行し、前記第１シンボルは前記ＵＥが前記基地局へＨＡＲＱプロセスにおけるダウンリンクデータ受信のフィードバック情報を送信するために使用される、方法。
【請求項２】
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、ｘ＝Ｃ／２、且つｙ＝Ｃ／２であり、又は
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、Ｃ＝ｘ＋ｙ、且つｘ＞Ｃ／２である、
請求項１に記載の方法。
【請求項３】
前記第１サブフレームは、ダウンリンクサービス送信のために使用される少なくとも１つの第２シンボルを更に含み、前記第２シンボルは前記保護期間に先行する、請求項１に記載の方法。
【請求項４】
前記第１サブフレームはＣ個のシンボルを含み、最初のｘ個のシンボルは、ダウンリンクサービス送信のために使用されるダウンリンクパイロットタイムスロットであり、最後のｙ個のシンボルは、アップリンクサービス送信のために使用されるアップリンクパイロットタイムスロットであり、中間のｚ個のシンボルは前記保護期間であり、Ｃ＝ｘ＋ｙ＋ｚ、且つｘ≦Ｃ／２であり、又は
前記第１サブフレームはＣ個のシンボルを含み、最初のｘ個のシンボルは、ダウンリンクサービス送信のために使用されるダウンリンクパイロットタイムスロットであり、最後のｙ個のシンボルは、アップリンクサービス送信のために使用されるアップリンクパイロットタイムスロットであり、中間のｚ個のシンボルは前記保護期間であり、Ｃ＝ｘ＋ｙ＋ｚ、ｘ＜Ｃ／２、且つｙ＝Ｃ／２である、
請求項３に記載の方法。
【請求項５】
前記第２サブフレームは、保護期間と、ダウンリンクサービス送信のために使用される少なくとも１つの第３シンボルと、を含み、前記保護期間は前記第３シンボルにより先行される、請求項１乃至４のいずれか一項に記載の方法。
【請求項６】
前記第２サブフレームはＰ個のシンボルを含み、最初のａ個のシンボルは、ダウンリンクサービス送信のために使用されるダウンリンクパイロットタイムスロットであり、最後のｂ個のシンボルは前記保護期間であり、ａ＝Ｐ／２、且つｂ＝Ｐ／２であり、又は
前記第２サブフレームはＰ個のシンボルを含み、最初のａ個のシンボルは、ダウンリンクサービス送信のために使用されるダウンリンクパイロットタイムスロットであり、最後のｂ個のシンボルは前記保護期間であり、Ｐ＝ａ＋ｂ、且つａ＞Ｐ／２である、
請求項５に記載の方法。
【請求項７】
前記第２サブフレームは、アップリンクサービス送信のために使用される少なくとも１つの第４シンボルを更に含み、前記第４シンボルは前記保護期間により先行される、請求項５に記載の方法。
【請求項８】
前記第２サブフレームはＰ個のシンボルを含み、最初のａ個のシンボルは、ダウンリンクサービス送信のために使用されるダウンリンクパイロットタイムスロットであり、最後のｂ個のシンボルは、アップリンクサービス送信のために使用されるアップリンクパイロットタイムスロットであり、中間のｗ個のシンボルは前記保護期間であり、Ｐ＝ａ＋ｂ＋ｗ、且つａ≦Ｐ／２であり、又は
前記第２サブフレームはＰ個のシンボルを含み、最初のａ個のシンボルは、ダウンリンクサービス送信のために使用されるダウンリンクパイロットタイムスロットであり、最後のｂ個のシンボルは、アップリンクサービス送信のために使用されるアップリンクパイロットタイムスロットであり、中間のｗ個のシンボルは前記保護期間であり、Ｐ＝ａ＋ｂ＋ｗ、ａ＜Ｐ／２、且つｂ＝Ｐ／２である、
請求項７に記載の方法。
【請求項９】
前記基地局により、前記無線フレーム構成情報をＵＥへ送信する前記ステップは、
前記基地局により、ブロードキャストメッセージを用いることにより、前記無線フレーム構成情報を前記ＵＥへ送信するステップ、又は
前記基地局により、無線リソース制御ＲＲＣ専用シグナリング、媒体アクセス制御ＭＡＣシグナリング、又は物理ダウンリンク制御チャネルＰＤＣＣＨシグナリングを用いることにより、前記無線フレーム構成情報を前記ＵＥへ送信するステップ、
を含む、請求項１乃至８のいずれか一項に記載の方法。
【請求項１０】
時分割複信システムにおける通信方法であって、
ユーザ機器ＵＥにより、基地局により送信された無線フレーム構成情報を受信するステップと、
前記無線フレーム構成情報に従い、前記ＵＥにより、１つの無線フレームのＮ個の連続するダウンリンクサブフレームのうちの少なくとも１つが第１サブフレームとして構成されることを決定し、及び／又は１つの無線フレームのＭ個の連続するアップリンクサブフレームのうちの少なくとも１つが第２サブフレームとして構成されることを決定するステップであって、前記第１サブフレームはアップリンクサービス送信のために使用され、前記第２サブフレームはダウンリンクサービス送信のために使用され、Ｎ及びＭは２以上の正整数である、ステップと、
前記ＵＥにより、前記無線フレーム構成情報に従い決定された無線フレームを用いることにより、前記基地局と通信するステップと、
を含み、
前記第１サブフレームは、保護期間と、アップリンクサービス送信のために使用される少なくとも１つの第１シンボルと、を含み、前記保護期間は前記第１シンボルに先行し、前記第１シンボルは前記ＵＥが前記基地局へＨＡＲＱプロセスにおけるダウンリンクデータ受信のフィードバック情報を送信するために使用される、方法。
【請求項１１】
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、ｘ＝Ｃ／２、且つｙ＝Ｃ／２であり、又は
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、Ｃ＝ｘ＋ｙ、且つｘ＞Ｃ／２である、
請求項１０に記載の方法。
【請求項１２】
前記第１サブフレームは、ダウンリンクサービス送信のために使用される少なくとも１つの第２シンボルを更に含み、前記第２シンボルは前記保護期間に先行する、請求項１０に記載の方法。
【請求項１３】
前記第１サブフレームはＣ個のシンボルを含み、最初のｘ個のシンボルは、ダウンリンクサービス送信のために使用されるダウンリンクパイロットタイムスロットであり、最後のｙ個のシンボルは、アップリンクサービス送信のために使用されるアップリンクパイロットタイムスロットであり、中間のｚ個のシンボルは前記保護期間であり、Ｃ＝ｘ＋ｙ＋ｚ、且つｘ≦Ｃ／２であり、又は
前記第１サブフレームはＣ個のシンボルを含み、最初のｘ個のシンボルは、ダウンリンクサービス送信のために使用されるダウンリンクパイロットタイムスロットであり、最後のｙ個のシンボルは、アップリンクサービス送信のために使用されるアップリンクパイロットタイムスロットであり、中間のｚ個のシンボルは前記保護期間であり、Ｃ＝ｘ＋ｙ＋ｚ、ｘ＜Ｃ／２、且つｙ＝Ｃ／２である、
請求項１２に記載の方法。
【請求項１４】
前記第２サブフレームは、保護期間と、ダウンリンクサービス送信のために使用される少なくとも１つの第３シンボルと、を含み、前記保護期間は前記第３シンボルにより先行される、請求項１０乃至１３のいずれか一項に記載の方法。
【請求項１５】
前記第２サブフレームはＰ個のシンボルを含み、最初のａ個のシンボルは、ダウンリンクサービス送信のために使用されるダウンリンクパイロットタイムスロットであり、最後のｂ個のシンボルは前記保護期間であり、ａ＝Ｐ／２、且つｂ＝Ｐ／２であり、又は
前記第２サブフレームはＰ個のシンボルを含み、最初のａ個のシンボルは、ダウンリンクサービス送信のために使用されるダウンリンクパイロットタイムスロットであり、最後のｂ個のシンボルは前記保護期間であり、Ｐ＝ａ＋ｂ、且つａ＞Ｐ／２である、
請求項１４に記載の方法。
【請求項１６】
前記第２サブフレームは、アップリンクサービス送信のために使用される少なくとも１つの第４シンボルを更に含み、前記第４シンボルは前記保護期間により先行される、請求項１４に記載の方法。
【請求項１７】
前記第２サブフレームはＰ個のシンボルを含み、最初のａ個のシンボルは、ダウンリンクサービス送信のために使用されるダウンリンクパイロットタイムスロットであり、最後のｂ個のシンボルは、アップリンクサービス送信のために使用されるアップリンクパイロットタイムスロットであり、中間のｗ個のシンボルは前記保護期間であり、Ｐ＝ａ＋ｂ＋ｗ、且つａ≦Ｐ／２であり、又は
前記第２サブフレームはＰ個のシンボルを含み、最初のａ個のシンボルは、ダウンリンクサービス送信のために使用されるダウンリンクパイロットタイムスロットであり、最後のｂ個のシンボルは、アップリンクサービス送信のために使用されるアップリンクパイロットタイムスロットであり、中間のｗ個のシンボルは前記保護期間であり、Ｐ＝ａ＋ｂ＋ｗ、ａ＜Ｐ／２、且つｂ＝Ｐ／２である、
請求項１６に記載の方法。
【請求項１８】
無線フレーム構成情報を決定するよう構成される決定ユニットと、
前記決定ユニットにより決定された前記無線フレーム構成情報をユーザ機器ＵＥへ送信するよう構成される送信ユニットであって、前記無線フレーム構成情報は、１つの無線フレームのＮ個の連続するダウンリンクサブフレームのうちの少なくとも１つを第１サブフレームとして設定するよう前記ＵＥに指示するために使用され、及び／又は前記無線フレーム構成情報は、１つの無線フレームのＭ個の連続するアップリンクサブフレームのうちの少なくとも１つを第２サブフレームとして設定するよう前記ＵＥに指示するために使用され、前記第１サブフレームはアップリンクサービス送信のために使用され、前記第２サブフレームはダウンリンクサービス送信のために使用され、Ｎ及びＭは２以上の正整数である、送信ユニットと、
前記無線フレーム構成情報に従い構成された無線フレームを用いることにより、前記ＵＥと通信するよう構成される通信ユニットと、
を含み、
前記第１サブフレームは、保護期間と、アップリンクサービス送信のために使用される少なくとも１つの第１シンボルと、を含み、前記保護期間は前記第１シンボルに先行し、前記第１シンボルは前記ＵＥが基地局へＨＡＲＱプロセスにおけるダウンリンクデータ受信のフィードバック情報を送信するために使用される、基地局。
【請求項１９】
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、ｘ＝Ｃ／２、且つｙ＝Ｃ／２であり、又は
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、Ｃ＝ｘ＋ｙ、且つｘ＞Ｃ／２である、
請求項１８に記載の基地局。
【請求項２０】
前記第１サブフレームは、ダウンリンクサービス送信のために使用される少なくとも１つの第２シンボルを更に含み、前記第２シンボルは前記保護期間に先行する、請求項１８に記載の基地局。
【請求項２１】
前記第１サブフレームはＣ個のシンボルを含み、最初のｘ個のシンボルは、ダウンリンクサービス送信のために使用されるダウンリンクパイロットタイムスロットであり、最後のｙ個のシンボルは、アップリンクサービス送信のために使用されるアップリンクパイロットタイムスロットであり、中間のｚ個のシンボルは前記保護期間であり、Ｃ＝ｘ＋ｙ＋ｚ、且つｘ≦Ｃ／２であり、又は
前記第１サブフレームはＣ個のシンボルを含み、最初のｘ個のシンボルは、ダウンリンクサービス送信のために使用されるダウンリンクパイロットタイムスロットであり、最後のｙ個のシンボルは、アップリンクサービス送信のために使用されるアップリンクパイロットタイムスロットであり、中間のｚ個のシンボルは前記保護期間であり、Ｃ＝ｘ＋ｙ＋ｚ、ｘ＜Ｃ／２、且つｙ＝Ｃ／２である、
請求項２０に記載の基地局。
【請求項２２】
前記第２サブフレームは、保護期間と、ダウンリンクサービス送信のために使用される少なくとも１つの第３シンボルと、を含み、前記保護期間は前記第３シンボルにより先行される、請求項１９乃至２１のいずれか一項に記載の基地局。
【請求項２３】
前記第２サブフレームはＰ個のシンボルを含み、最初のａ個のシンボルは、ダウンリンクサービス送信のために使用されるダウンリンクパイロットタイムスロットであり、最後のｂ個のシンボルは前記保護期間であり、ａ＝Ｐ／２、且つｂ＝Ｐ／２であり、又は
前記第２サブフレームはＰ個のシンボルを含み、最初のａ個のシンボルは、ダウンリンクサービス送信のために使用されるダウンリンクパイロットタイムスロットであり、最後のｂ個のシンボルは前記保護期間であり、Ｐ＝ａ＋ｂ、且つａ＞Ｐ／２である、
請求項２２に記載の基地局。
【請求項２４】
前記第２サブフレームは、アップリンクサービス送信のために使用される少なくとも１つの第４シンボルを更に含み、前記第４シンボルは前記保護期間により先行される、請求項２２に記載の基地局。
【請求項２５】
前記第２サブフレームはＰ個のシンボルを含み、最初のａ個のシンボルは、ダウンリンクサービス送信のために使用されるダウンリンクパイロットタイムスロットであり、最後のｂ個のシンボルは、アップリンクサービス送信のために使用されるアップリンクパイロットタイムスロットであり、中間のｗ個のシンボルは前記保護期間であり、Ｐ＝ａ＋ｂ＋ｗ、且つａ≦Ｐ／２であり、又は
前記第２サブフレームはＰ個のシンボルを含み、最初のａ個のシンボルは、ダウンリンクサービス送信のために使用されるダウンリンクパイロットタイムスロットであり、最後のｂ個のシンボルは、アップリンクサービス送信のために使用されるアップリンクパイロットタイムスロットであり、中間のｗ個のシンボルは前記保護期間であり、Ｐ＝ａ＋ｂ＋ｗ、ａ＜Ｐ／２、且つｂ＝Ｐ／２である、
請求項２４に記載の基地局。
【請求項２６】
前記送信ユニットは、具体的には、
前記基地局のために、ブロードキャストメッセージを用いることにより、前記無線フレーム構成情報を前記ＵＥへ送信し、又は
前記基地局のために、無線リソース制御ＲＲＣ専用シグナリング、媒体アクセス制御ＭＡＣシグナリング、又は物理ダウンリンク制御チャネルＰＤＣＣＨシグナリングを用いることにより、前記無線フレーム構成情報を前記ＵＥへ送信する、
よう構成される、請求項１８乃至２５のいずれか一項に記載の基地局。
【請求項２７】
ユーザ機器であって、
基地局により送信された無線フレーム構成情報を受信するよう構成される受信ユニットと、
前記無線フレーム構成情報に従い、１つの無線フレームのＮ個の連続するダウンリンクサブフレームのうちの少なくとも１つが第１サブフレームとして構成されることを決定し、及び／又は１つの無線フレームのＭ個の連続するアップリンクサブフレームのうちの少なくとも１つが第２サブフレームとして構成されることを決定するよう構成される決定ユニットであって、前記第１サブフレームはアップリンクサービス送信のために使用され、前記第２サブフレームはダウンリンクサービス送信のために使用され、Ｎ及びＭは２以上の正整数である、決定ユニットと、
前記無線フレーム構成情報に従い決定された無線フレームを用いることにより、前記基地局と通信するよう構成される通信ユニットと、
を含み、
前記第１サブフレームは、保護期間と、アップリンクサービス送信のために使用される少なくとも１つの第１シンボルと、を含み、前記保護期間は前記第１シンボルに先行し、前記第１シンボルは前記ユーザ機器が前記基地局へＨＡＲＱプロセスにおけるダウンリンクデータ受信のフィードバック情報を送信するために使用される、ユーザ機器。
【請求項２８】
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、ｘ＝Ｃ／２、且つｙ＝Ｃ／２であり、又は
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、Ｃ＝ｘ＋ｙ、且つｘ＞Ｃ／２である、
請求項２７に記載のユーザ機器。
【請求項２９】
前記第１サブフレームは、ダウンリンクサービス送信のために使用される少なくとも１つの第２シンボルを更に含み、前記第２シンボルは前記保護期間に先行する、請求項２７に記載のユーザ機器。
【請求項３０】
前記第１サブフレームはＣ個のシンボルを含み、最初のｘ個のシンボルは、ダウンリンクサービス送信のために使用されるダウンリンクパイロットタイムスロットであり、最後のｙ個のシンボルは、アップリンクサービス送信のために使用されるアップリンクパイロットタイムスロットであり、中間のｚ個のシンボルは前記保護期間であり、Ｃ＝ｘ＋ｙ＋ｚ、且つｘ≦Ｃ／２であり、又は
前記第１サブフレームはＣ個のシンボルを含み、最初のｘ個のシンボルは、ダウンリンクサービス送信のために使用されるダウンリンクパイロットタイムスロットであり、最後のｙ個のシンボルは、アップリンクサービス送信のために使用されるアップリンクパイロットタイムスロットであり、中間のｚ個のシンボルは前記保護期間であり、Ｃ＝ｘ＋ｙ＋ｚ、ｘ＜Ｃ／２、且つｙ＝Ｃ／２である、
請求項２９に記載のユーザ機器。
【請求項３１】
前記第２サブフレームは、保護期間と、ダウンリンクサービス送信のために使用される少なくとも１つの第３シンボルと、を含み、前記保護期間は前記第３シンボルにより先行される、請求項２７乃至３０のいずれか一項に記載のユーザ機器。
【請求項３２】
前記第２サブフレームはＰ個のシンボルを含み、最初のａ個のシンボルは、ダウンリンクサービス送信のために使用されるダウンリンクパイロットタイムスロットであり、最後のｂ個のシンボルは前記保護期間であり、ａ＝Ｐ／２、且つｂ＝Ｐ／２であり、又は
前記第２サブフレームはＰ個のシンボルを含み、最初のａ個のシンボルは、ダウンリンクサービス送信のために使用されるダウンリンクパイロットタイムスロットであり、最後のｂ個のシンボルは前記保護期間であり、Ｐ＝ａ＋ｂ、且つａ＞Ｐ／２である、
請求項３１に記載のユーザ機器。
【請求項３３】
前記第２サブフレームは、アップリンクサービス送信のために使用される少なくとも１つの第４シンボルを更に含み、前記第４シンボルは前記保護期間により先行される、請求項３１に記載のユーザ機器。
【請求項３４】
前記第２サブフレームはＰ個のシンボルを含み、最初のａ個のシンボルは、ダウンリンクサービス送信のために使用されるダウンリンクパイロットタイムスロットであり、最後のｂ個のシンボルは、アップリンクサービス送信のために使用されるアップリンクパイロットタイムスロットであり、中間のｗ個のシンボルは前記保護期間であり、Ｐ＝ａ＋ｂ＋ｗ、且つａ≦Ｐ／２であり、又は
前記第２サブフレームはＰ個のシンボルを含み、最初のａ個のシンボルは、ダウンリンクサービス送信のために使用されるダウンリンクパイロットタイムスロットであり、最後のｂ個のシンボルは、アップリンクサービス送信のために使用されるアップリンクパイロットタイムスロットであり、中間のｗ個のシンボルは前記保護期間であり、Ｐ＝ａ＋ｂ＋ｗ、ａ＜Ｐ／２、且つｂ＝Ｐ／２である、
請求項３３に記載のユーザ機器。
【請求項３５】
コンピュータプログラムであって、コンピュータに請求項１乃至９のいずれか一項に記載の方法を実行させる、コンピュータプログラム。
【請求項３６】
コンピュータプログラムであって、コンピュータに請求項１０乃至１７のいずれか一項に記載の方法を実行させる、コンピュータプログラム。
【発明の詳細な説明】
【技術分野】
【０００１】
本発明は、通信技術の分野に関し、特に時分割複信システムにおける通信方法、基地局、及びユーザ機器に関する。
【背景技術】
【０００２】
ロングタームエボリューション（Long  Term  Evolution、略してＬＴＥ）システムは、時分割複信（Time  Division  Duplex、略してＴＤＤ）方式をサポートする。つまり、アップリンク（Uplink、略してＵＬ）及びダウンリンク（Downlink、略してＤＬ）は、同じ搬送波の異なるタイムスロットを使用する。アップリンクは、アップリンク通信のために使用される。つまり、ユーザ機器（User  Equipment、略してＵＥ）が基地局へ送信されるべきデータを有する場合、ユーザ機器は、アップリンクを使用することにより該データを送信する。ダウンリンクは、ダウンリンク通信のために使用される。つまり、基地局がユーザ機器へ送信されるべきデータを有する場合、基地局はダウンリンクを使用することにより該データを送信する。
【０００３】
往復時間（Round  Trip  Time、ＲＴＴ）は、無線通信システムの性能を測定するための重要な指示子であり、一般的に、送信端がデータを送信する時間から送信端が受信端から肯定応答を受信する時間までの期間を意味する。
【０００４】
ＴＤＤシステムでは、データスケジューリングは、一般的に、ハイブリッド自動再送要求ＨＡＲＱ（Hybrid  Automatic  Repeat  Request、ＨＡＲＱ）方式で実行される。１つのＨＡＲＱプロセスの間、データを送信した後に、送信端は、予め設定された最大フィードバック待ち時間が経過するまで、次のデータパケットを送信しない。したがって、ＡＣＫが出来るだけ直ぐに受信できるならば、１つのＨＡＲＱプロセスの中でデータパケットが送信される時間間隔は短縮でき、ＲＴＴは短縮され、そしてデータ送信効率は向上できる。
【０００５】
現在、ＴＤＤ通信システムのＲＴＴを効率的に短縮でき及びデータ送信効率を向上できる方法は依然として存在しない。
【発明の概要】
【０００６】
本発明の実施形態は、ＲＴＴを効率的に低減し及びデータ送信効率を向上するために、時分割複信システムにおける通信方法、基地局、及びユーザ機器を提供する。
【０００７】
第１の態様によると、本発明の一実施形態は、時分割複信システムにおける通信方法であって、前記方法は、
基地局により、無線フレーム構成情報を決定するステップと、
前記基地局により、前記決定した無線フレーム構成情報をユーザ機器ＵＥへ送信するステップであって、前記無線フレーム構成情報は、１つの無線フレームのＮ個の連続するダウンリンクサブフレームのうちの少なくとも１つを第１サブフレームとして設定するよう前記ＵＥに指示するために使用され、及び／又は前記無線フレーム構成情報は、１つの無線フレームのＭ個の連続するアップリンクサブフレームのうちの少なくとも１つを第２サブフレームとして設定するよう前記ＵＥに指示するために使用され、前記第１サブフレームはアップリンクサービス送信のために使用され、前記第２サブフレームはダウンリンクサービス送信のために使用され、Ｎ及びＭは２以上の正整数である、ステップと、
前記基地局により、前記無線フレーム構成情報に従い構成された無線フレームを用いることにより、前記ＵＥと通信するステップと、
を含む方法を提供する。
【０００８】
第１の態様を参照して、第１の態様の第１の可能な実装では、第１サブフレームは、保護期間と、アップリンクサービス送信のために使用される少なくとも１つの第１シンボルと、を含み、保護期間は第１シンボルに先行する。
【０００９】
第１の態様の第１の可能な実装を参照して、第１の態様の第２の可能な実装では、前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、ｘ＝Ｃ／２、且つｙ＝Ｃ／２であり、又は
前記第１サブフレームはＣ個のシンボルを含み、最初のｘ個のシンボルは前記保護期間であり、最後のｙ個のシンボルは、アップリンクサービス送信のために使用されるアップリンクパイロットタイムスロットであり、Ｃ＝ｘ＋ｙ、且つｘ＞Ｃ／２である。
【００１０】
第１の態様の第１の可能な実装を参照して、第１の態様の第３の可能な実装では、前記第１サブフレームは、ダウンリンクサービス送信のために使用される少なくとも１つの第２シンボルを更に含み、前記第２シンボルは前記保護期間に先行する。
【００１１】
第１の態様の第３の可能な実装を参照して、第１の態様の第４の可能な実装では、前記第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは前記保護期間であり、Ｃ＝ｘ＋ｙ＋ｚ、且つｘ≦Ｃ／２であり、あるいは、
前記第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは前記保護期間であり、Ｃ＝ｘ＋ｙ＋ｚ、ｘ＜Ｃ／２、且つｙ＝Ｃ／２である。
【００１２】
第１の態様、又は第１の態様の第１乃至第４の可能な実装のうちのいずれか１つを参照して、第１の態様の第５の可能な実装では、前記第２サブフレームは、保護期間と、ダウンリンクサービス送信のために使用される少なくとも１つの第３シンボルと、を含み、前記保護期間は前記第３シンボルにより先行される。
【００１３】
第１の態様の第５の可能な実装を参照して、第１の態様の第６の可能な実装では、前記第２サブフレームはＰ個のシンボルを含み、最初のａ個のシンボルはダウンリンクサービス送信のために使用されるダウンリンクパイロットタイムスロットであり、最後のｂ個のシンボルは前記保護期間であり、ａ＝Ｐ／２、且つｂ＝Ｐ／２であり、あるいは、
前記第２サブフレームはＰ個のシンボルを含み、最初のａ個のシンボルはダウンリンクサービス送信のために使用されるダウンリンクパイロットタイムスロットであり、最後のｂ個のシンボルは前記保護期間であり、Ｐ＝ａ＋ｂ、且つａ＞Ｐ／２である。
【００１４】
第１の態様の第５の可能な実装を参照して、第１の態様の第７の可能な実装では、前記第２サブフレームは、アップリンクサービス送信のために使用される少なくとも１つの第４シンボルを更に含み、前記第４シンボルは前記保護期間により先行される。
【００１５】
第１の態様の第７の可能な実装を参照して、第１の態様の第８の可能な実装では、前記第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは前記保護期間であり、Ｐ＝ａ＋ｂ＋ｗ、且つａ≦Ｐ／２であり、あるいは、
前記第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは前記保護期間であり、Ｐ＝ａ＋ｂ＋ｗ、ａ＜Ｐ／２、且つｂ＝Ｐ／２である。
【００１６】
第１の態様、第１の態様の第１乃至第８の可能な実装のうちのいずれか１つを参照して、第１の態様の第９の可能な実装では、前記基地局により、ＵＥへ前記無線フレーム構成情報を送信する前記ステップは、
前記基地局により、ブロードキャストメッセージを用いることにより、前記ＵＥへ前記無線フレーム構成情報を送信するステップ、又は
前記基地局により、無線リソース制御ＲＲＣ専用シグナリング、媒体アクセス制御ＭＡＣシグナリング、又は物理ダウンリンク制御チャネルＰＤＣＣＨシグナリングを用いることにより、前記ＵＥへ前記無線フレーム構成情報を送信するステップ、
を含む。
【００１７】
第２の態様によると、本発明の実施形態は、時分割複信システムにおける通信方法であって、前記方法は、
ユーザ機器ＵＥにより、基地局により送信された無線フレーム構成情報を受信するステップと、
前記無線フレーム構成情報に従い、前記ＵＥにより、１つの無線フレームのＮ個の連続するダウンリンクサブフレームのうちの少なくとも１つが第１サブフレームとして構成されることを決定し、及び／又は１つの無線フレームのＭ個の連続するアップリンクサブフレームのうちの少なくとも１つが第２サブフレームとして構成されることを決定するステップであって、
前記第１サブフレームはアップリンクサービス送信のために使用され、前記第２サブフレームはダウンリンクサービス送信のために使用され、Ｎ及びＭは２以上の正整数である、ステップと、
前記ＵＥにより、前記無線フレーム構成情報に従い決定された無線フレームを用いることにより、前記基地局と通信するステップと、
を含む方法を提供する。
【００１８】
第２の態様を参照して、第２の態様の第１の可能な実装では、前記第１サブフレームは、保護期間と、アップリンクサービス送信のために使用される少なくとも１つの第１シンボルと、を含み、前記保護期間は前記第１シンボルに先行する。
【００１９】
第２の態様の第１の可能な実装を参照して、第２の態様の第２の可能な実装では、前記第１サブフレームはＣ個のシンボルを含み、最初のｘ個のシンボルは前記保護期間であり、最後のｙ個のシンボルはアップリンクサービス送信のために使用されるアップリンクパイロットタイムスロットであり、ｘ＝Ｃ／２且つｙ＝Ｃ／２であり、あるいは、
前記第１サブフレームはＣ個のシンボルを含み、最初のｘ個のシンボルは保護期間であり、最後のｙ個のシンボルはアップリンクサービス送信のために使用されるアップリンクパイロットタイムスロットであり、Ｃ＝ｘ＋ｙ且つｘ＞Ｃ／２である。
【００２０】
第２の態様の第１の可能な実装を参照して、第２の態様の第３の可能な実装では、前記第１サブフレームは、ダウンリンクサービス送信のために使用される少なくとも１つの第２シンボルを更に含み、前記第２シンボルは前記保護期間に先行する。
【００２１】
第２の態様の第３の可能な実装を参照して、第２の態様の第４の可能な実装では、前記第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは前記保護期間であり、Ｃ＝ｘ＋ｙ＋ｚ、且つｘ≦Ｃ／２であり、あるいは、
前記第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは前記保護期間であり、Ｃ＝ｘ＋ｙ＋ｚ、ｘ＜Ｃ／２、且つｙ＝Ｃ／２である。
【００２２】
第２の態様、又は第１の態様の第１乃至第４の可能な実装のうちのいずれか１つを参照して、第２の態様の第５の可能な実装では、前記第２サブフレームは、保護期間と、ダウンリンクサービス送信のために使用される少なくとも１つの第３シンボルと、を含み、前記保護期間は前記第３シンボルにより先行される。
【００２３】
第２の態様の第５の可能な実装を参照して、第２の態様の第６の可能な実装では、前記第２サブフレームはＰ個のシンボルを含み、最初のａ個のシンボルはダウンリンクサービス送信のために使用されるダウンリンクパイロットタイムスロットであり、最後のｂ個のシンボルは前記保護期間であり、ａ＝Ｐ／２、且つｂ＝Ｐ／２であり、あるいは、
前記第２サブフレームはＰ個のシンボルを含み、最初のａ個のシンボルはダウンリンクサービス送信のために使用されるダウンリンクパイロットタイムスロットであり、最後のｂ個のシンボルは前記保護期間であり、Ｐ＝ａ＋ｂ、且つａ＞Ｐ／２である。
【００２４】
第２の態様の第５の可能な実装を参照して、第２の態様の第７の可能な実装では、前記第２サブフレームは、アップリンクサービス送信のために使用される少なくとも１つの第４シンボルを更に含み、前記第４シンボルは前記保護期間により先行される。
【００２５】
第２の態様の第７の可能な実装を参照して、第２の態様の第８の可能な実装では、前記第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは前記保護期間であり、Ｐ＝ａ＋ｂ＋ｗ、且つａ≦Ｐ／２であり、あるいは、
前記第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは前記保護期間であり、Ｐ＝ａ＋ｂ＋ｗ、ａ＜Ｐ／２、且つｂ＝Ｐ／２である。
【００２６】
第３の態様によると、本発明の一実施形態は、基地局であって、
無線フレーム構成情報を決定するよう構成される決定ユニットと、
決定ユニットにより決定された前記無線フレーム構成情報をユーザ機器ＵＥへ送信する送信ユニットであって、前記無線フレーム構成情報は、１つの無線フレームのＮ個の連続するダウンリンクサブフレームのうちの少なくとも１つを第１サブフレームとして設定するよう前記ＵＥに指示するために使用され、及び／又は前記無線フレーム構成情報は、１つの無線フレームのＭ個の連続するアップリンクサブフレームのうちの少なくとも１つを第２サブフレームとして設定するよう前記ＵＥに指示するために使用され、前記第１サブフレームはアップリンクサービス送信のために使用され、前記第２サブフレームはダウンリンクサービス送信のために使用され、Ｎ及びＭは２以上の正整数である、送信ユニットと、
前記無線フレーム構成情報に従い構成された無線フレームを用いることにより、前記ＵＥと通信するよう構成される通信ユニットと、
を含む基地局を更に提供する。
【００２７】
第３の態様を参照して、第３の態様の第１の可能な実装では、前記第１サブフレームは、前記保護期間と、アップリンクサービス送信のために使用される少なくとも１つの第１シンボルと、を含み、前記保護期間は前記第１シンボルに先行する。
【００２８】
第３の態様の第１の可能な実装を参照して、第３の態様の第２の可能な実装では、前記第１サブフレームはＣ個のシンボルを含み、最初のｘ個のシンボルは前記保護期間であり、最後のｙ個のシンボルはアップリンクサービス送信のために使用されるアップリンクパイロットタイムスロットであり、ｘ＝Ｃ／２且つｙ＝Ｃ／２であり、あるいは、
前記第１サブフレームはＣ個のシンボルを含み、最初のｘ個のシンボルは前記保護期間であり、最後のｙ個のシンボルはアップリンクサービス送信のために使用されるアップリンクパイロットタイムスロットであり、Ｃ＝ｘ＋ｙ且つｘ＞Ｃ／２である。
【００２９】
第３の態様の第１の可能な実装を参照して、第３の態様の第３の可能な実装では、前記第１サブフレームは、ダウンリンクサービス送信のために使用される少なくとも１つの第２シンボルを更に含み、前記第２シンボルは前記保護期間に先行する。
【００３０】
第３の態様の第３の可能な実装を参照して、第３の態様の第４の可能な実装では、前記第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは前記保護期間であり、Ｃ＝ｘ＋ｙ＋ｚ、且つｘ≦Ｃ／２であり、あるいは、
前記第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは前記保護期間であり、Ｃ＝ｘ＋ｙ＋ｚ、ｘ＜Ｃ／２、且つｙ＝Ｃ／２である。
【００３１】
第３の態様、又は第３の態様の第１乃至第４の可能な実装のうちのいずれか１つを参照して、第３の態様の第５の可能な実装では、前記第２サブフレームは、保護期間と、ダウンリンクサービス送信のために使用される少なくとも１つの第３シンボルと、を含み、前記保護期間は前記第３シンボルにより先行される。
【００３２】
第３の態様の第５の可能な実装を参照して、第３の態様の第６の可能な実装では、前記第２サブフレームはＰ個のシンボルを含み、最初のａ個のシンボルはダウンリンクサービス送信のために使用されるダウンリンクパイロットタイムスロットであり、最後のｂ個のシンボルは前記保護期間であり、ａ＝Ｐ／２、且つｂ＝Ｐ／２であり、あるいは、
前記第２サブフレームはＰ個のシンボルを含み、最初のａ個のシンボルはダウンリンクサービス送信のために使用されるダウンリンクパイロットタイムスロットであり、最後のｂ個のシンボルは前記保護期間であり、Ｐ＝ａ＋ｂ、且つａ＞Ｐ／２である。
【００３３】
第３の態様の第５の可能な実装を参照して、第３の態様の第７の可能な実装では、前記第２サブフレームは、アップリンクサービス送信のために使用される少なくとも１つの第４シンボルを更に含み、前記第４シンボルは前記保護期間により先行される。
【００３４】
第３の態様の第７の可能な実装を参照して、第３の態様の第８の可能な実装では、前記第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは前記保護期間であり、Ｐ＝ａ＋ｂ＋ｗ、且つａ≦Ｐ／２であり、あるいは、
前記第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは前記保護期間であり、Ｐ＝ａ＋ｂ＋ｗ、ａ＜Ｐ／２、且つｂ＝Ｐ／２である。
【００３５】
第３の態様、第３の態様の第１乃至第８の可能な実装のうちのいずれか１つを参照して、第３の態様の第９の可能な実装では、前記送信ユニットは、具体的には、
基地局のために、ブロードキャストメッセージを用いることにより、前記ＵＥへ前記無線フレーム構成情報を送信し、
前記基地局のために、無線リソース制御ＲＲＣ専用シグナリング、媒体アクセス制御ＭＡＣシグナリング、又は物理ダウンリンク制御チャネルＰＤＣＣＨシグナリングを用いることにより、前記ＵＥへ前記無線フレーム構成情報を送信する、よう構成される。
【００３６】
第４の態様によると、本発明の一実施形態は、ユーザ機器であって、
基地局により送信された無線フレーム構成情報を受信するよう構成される受信ユニットと、
決定ユニットであって、前記無線フレーム構成情報に従い、１つの無線フレームのＮ個の連続するダウンリンクサブフレームのうちの少なくとも１つが第１サブフレームとして構成されることを決定し、及び／又は１つの無線フレームのＭ個の連続するアップリンクサブフレームのうちの少なくとも１つが第２サブフレームとして構成されることを決定するよう構成され、前記第１サブフレームはアップリンクサービス送信のために使用され、前記第２サブフレームはダウンリンクサービス送信のために使用され、Ｎ及びＭは２以上の正整数である、決定ユニットと、
前記無線フレーム構成情報に従い決定された無線フレームを用いることにより、前記基地局と通信するよう構成される通信ユニットと、
を含むユーザ機器を更に提供する。
【００３７】
第４の態様を参照して、第４の態様の第１の可能な実装では、前記第１サブフレームは、保護期間と、アップリンクサービス送信のために使用される少なくとも１つの第１シンボルと、を含み、前記保護期間は前記第１シンボルに先行する。
【００３８】
第４の態様の第１の可能な実装を参照して、第４の態様の第２の可能な実装では、前記第１サブフレームはＣ個のシンボルを含み、最初のｘ個のシンボルは前記保護期間であり、最後のｙ個のシンボルはアップリンクサービス送信のために使用されるアップリンクパイロットタイムスロットであり、ｘ＝Ｃ／２且つｙ＝Ｃ／２であり、あるいは、
前記第１サブフレームはＣ個のシンボルを含み、最初のｘ個のシンボルは前記保護期間であり、最後のｙ個のシンボルはアップリンクサービス送信のために使用されるアップリンクパイロットタイムスロットであり、Ｃ＝ｘ＋ｙ且つｘ＞Ｃ／２である。
【００３９】
第４の態様の第１の可能な実装を参照して、第４の態様の第３の可能な実装では、前記第１サブフレームは、ダウンリンクサービス送信のために使用される少なくとも１つの第２シンボルを更に含み、前記第２シンボルは前記保護期間に先行する。
【００４０】
、第４の態様の第３の可能な実装を参照して、第４の態様の第４の可能な実装では、前記第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは前記保護期間であり、Ｃ＝ｘ＋ｙ＋ｚ、且つｘ≦Ｃ／２であり、あるいは、
前記第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは前記保護期間であり、Ｃ＝ｘ＋ｙ＋ｚ、ｘ＜Ｃ／２、且つｙ＝Ｃ／２である。
【００４１】
第４の態様、又は第４の態様の第１乃至第４の可能な実装のうちのいずれか１つを参照して、第４の態様の第５の可能な実装では、前記第２サブフレームは、保護期間と、ダウンリンクサービス送信のために使用される少なくとも１つの第３シンボルと、を含み、前記保護期間は前記第３シンボルにより先行される。
【００４２】
第４の態様の第５の可能な実装を参照して、第４の態様の第６の可能な実装では、前記第２サブフレームはＰ個のシンボルを含み、最初のａ個のシンボルはダウンリンクサービス送信のために使用されるダウンリンクパイロットタイムスロットであり、最後のｂ個のシンボルは前記保護期間であり、ａ＝Ｐ／２、且つｂ＝Ｐ／２であり、あるいは、
前記第２サブフレームはＰ個のシンボルを含み、最初のａ個のシンボルはダウンリンクサービス送信のために使用されるダウンリンクパイロットタイムスロットであり、最後のｂ個のシンボルは前記保護期間であり、Ｐ＝ａ＋ｂ、且つａ＞Ｐ／２である。
【００４３】
第４の態様の第５の可能な実装を参照して、第４の態様の第７の可能な実装では、前記第２サブフレームは、アップリンクサービス送信のために使用される少なくとも１つの第４シンボルを更に含み、前記第４シンボルは前記保護期間により先行される。
【００４４】
第４の態様の第７の可能な実装を参照して、第４の態様の第８の可能な実装では、前記第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは前記保護期間であり、Ｐ＝ａ＋ｂ＋ｗ、且つａ≦Ｐ／２であり、あるいは、
前記第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは前記保護期間であり、Ｐ＝ａ＋ｂ＋ｗ、ａ＜Ｐ／２、且つｂ＝Ｐ／２である。
【００４５】
本発明の実施形態によると、ＴＤＤシステムにおいて、無線フレーム期間は不変に保たれ、１つの無線フレームの２個以上の連続するダウンリンクサブフレームのうちの少なくとも１つは第１サブフレームとして構成され、及び／又は１つの無線フレームの２個以上の連続するアップリンクサブフレームのうちの少なくとも１つは第２サブフレームとして構成され、前記第１サブフレームはアップリンクサービス送信のために使用され、前記第２サブフレームはダウンリンクサービス送信のために使用される。つまり、ＤＬ切替ポイントのグループは、各無線フレームに追加される。これは、幾つかのサブフレームの中のＵＬ／ＤＬ切替を待機するための時間間隔を短縮し、それによりシステムＲＴＴを短縮する。例えば、ＵＥがダウンリンクサブフレームの中で基地局により送信されたダウンリンクデータを受信した後に、ＵＥは、後続のアップリンクサブフレームの中で、基地局へ、ダウンリンクデータ受信のフィードバック情報を送信する必要がある。本発明において提供される方法に従い、ＵＥがダウンリンクサブフレームの中で基地局により送信されたダウンリンクデータを受信した後に、少なくとも２つの連続するダウンリンクサブフレームのうちの少なくとも１つは第１サブフレームとして構成されるので、ＵＥは、基地局へダウンリンクデータ受信のフィードバック情報を送信するために、後続のアップリンクサブフレームまで待機する代わりに、第１サブフレームの中で基地局へダウンリンクデータ受信のフィードバック情報を送信できる。したがって、ＵＬ／ＤＬ切替を待機するための時間間隔は短縮され、それによりシステムＲＴＴを短縮する。
【図面の簡単な説明】
【００４６】
【図１】本発明の一実施形態によるＴＤＤサブフレームの概略構造図である。
【図２】本発明の一実施形態による時分割複信システムにおける通信方法のフローチャートである。
【図３】本発明の一実施形態による第１サブフレームの概略構造図である。
【図４】本発明の一実施形態による別のＴＤＤサブフレームの概略構造図である。
【図５】本発明の一実施形態による更に別のＴＤＤサブフレームの概略構造図である。
【図６】本発明の一実施形態による時分割複信システムにおける別の通信方法のフローチャートである。
【図７】本発明の一実施形態による基地局の概略構造図である。
【図８】本発明の一実施形態によるユーザ機器の概略構造図である。
【図９】本発明の一実施形態による別の基地局の概略構造図である。
【図１０】本発明の一実施形態による別のユーザ機器の概略構造図である。
【発明を実施するための形態】
【００４７】
本発明の目的、技術的解決策、及び利点を一層明らかにするために、以下に、本発明を、添付の図面を参照して以下に詳述する。明らかに、記載される実施形態は、本発明の実施形態の単なる一部であり、全ての実施形態ではない。本発明の実施形態に基づき創造的労力を有しないで当業者により得られる全ての他の実施形態は、本発明の保護範囲に包含される。
【００４８】
本発明の実施形態は、ＲＴＴを効率的に低減し及びデータ送信効率を向上するために、時分割複信システムにおける通信方法、基地局、及びユーザ機器を提供する。方法及び装置は、同じ発明思想に基づく。問題を解決するために同様の原理が方法及び装置により用いられるので、装置及び方法の実施は互いに参照され、本願明細書において繰り返しは省略される。
【００４９】
本発明の実施形態では、ＴＤＤ  ＬＴＥシステムが、説明のための一例として使用される。しかしながら、これは、本発明の実施形態がＴＤＤ  ＬＴＥシステムにのみ適用可能であることを意味しない。
【００５０】
ＴＤＤ  ＬＴＥシステムでは、ＴＤＤ構成は非常に重要な概念である。種々のチャネル構成が、専用ＴＤＤ構成に従い実施される。したがって、本発明の実施形態が記載される前に、先ず、既存のＴＤＤ  ＬＴＥシステムにおけるＴＤＤ構成が記載される。
【００５１】
表１は、既存のＴＤＤ  ＬＴＥシステムのＴＤＤ構成テーブルである。表１に示すように、既存のＴＤＤ  ＬＴＥシステムでは、全部で７種類のＴＤＤ構成：０〜６が存在する。表中、「Ｄ」はダウンリンクサブフレームを表し、「Ｓ」は専用サブフレーム（Ｓサブフレーム）を表し、「Ｕ」はアップリンクサブフレームを表す（以下の記載では、「Ｓ」、「Ｄ」及び「Ｕ」の意味はここでの定義と同じであり、説明は繰り返されない）。表１では、ＴＤＤ構成０、１、２、及び６のダウンリンク−アップリンク切替ポイント期間（Downlink−to−Uplink  Switch−point  period）は５ｍｓであり、ＴＤＤ構成３〜５のダウンリンク−アップリンク切替ポイント期間は１０ｍｓである。図１は、既存のサブフレームの構造図である。
［表１］
【表１】
0006580698.tif 000002
【００５２】
以下は、添付の図面を参照して本発明の実施形態を具体的に記載する。
【００５３】
本発明の実施形態は、時分割複信システムにおける通信方法を提供する。図２に示すように、方法は以下のステップを含む。
【００５４】
ステップ２０１：基地局は、無線フレーム構成情報を決定する。
【００５５】
ステップ２０２：基地局は、決定した無線フレーム構成情報をユーザ機器ＵＥへ送信する。無線フレーム構成情報は、１つの無線フレームのＮ個の連続するダウンリンクサブフレームのうちの少なくとも１つを第１サブフレームとして設定するようＵＥに指示するために使用され、及び／又は無線フレーム構成情報は、１つの無線フレームのＭ個の連続するアップリンクサブフレームのうちの少なくとも１つを第２サブフレームとして設定するようＵＥに指示するために使用される。第１サブフレームはアップリンクサービス送信のために使用され、第２サブフレームはダウンリンクサービス送信のために使用され、Ｎ及びＭは２以上の正整数である。
【００５６】
ステップ２０３：基地局は、無線フレーム構成情報に従い構成された無線フレームを用いることにより、ＵＥと通信する。
【００５７】
前述の実施形態において提供された方法に従い、基地局がダウンリンクサブフレームの中でＵＥへダウンリンクデータを送信した後に、ＵＥは、ダウンリンクデータを受信した後に、後続のアップリンクサブフレームの中で、基地局へダウンリンクデータ受信のフィードバック情報を送信する必要がある。本発明において提供される方法に従い、ＵＥがダウンリンクサブフレームの中で基地局により送信されたダウンリンクデータを受信した後に、少なくとも２つの連続するダウンリンクサブフレームのうちの少なくとも１つは第１サブフレームとして構成されるので、ＵＥは、基地局へダウンリンクデータ受信のフィードバック情報を送信するために、後続のアップリンクサブフレームまで待機する代わりに、第１サブフレームの中で基地局へダウンリンクデータ受信のフィードバック情報を送信できる。代替で、ＵＥがアップリンクサブフレームの中で基地局へアップリンクデータを送信した後に、本発明の本実施形態において提供される方法に従い、少なくとも２つの連続するアップリンクサブフレームのうちの少なくとも１つは第２サブフレームとして構成され、基地局は、ＵＥへフィードバック情報を送信するためにダウンリンクサブフレームまで待機する代わりに、第２サブフレームの中でＵＥへフィードバック情報を送信できる。このように、ＵＬ／ＤＬ切替を待つための時間間隔は短縮され、システムＲＴＴが短縮される。
【００５８】
任意的に、基地局は、具体的には以下の方法で、決定された無線フレーム構成情報をＵＥへ送信して良い。
【００５９】
基地局は、ブロードキャストメッセージを使用することにより、ＵＥへ無線フレーム構成情報を送信する。あるいは、
基地局は、無線リソース制御ＲＲＣ専用シグナリング、媒体アクセス制御ＭＡＣシグナリング、又は物理ダウンリンク制御チャネルＰＤＣＣＨシグナリングを使用することにより、ＵＥへ無線フレーム構成情報を送信する。
【００６０】
任意的に、第１サブフレームは、保護期間と、アップリンクサービス送信のために使用される少なくとも１つの第１シンボルと、を含み、保護期間は第１シンボルに先行する。
【００６１】
第１サブフレームは、アップリンク同期及びアップリンク及びダウンリンク分離のために使用されて良い。
【００６２】
具体的には、第１サブフレームはＣ個のシンボルを含み、最初のｘ個のシンボルは保護期間であり、最後のｙ個のシンボルはアップリンクサービス送信のために使用されるアップリンクパイロットタイムスロットであり、ｘ＝Ｃ／２且つｙ＝Ｃ／２である。あるいは、
第１サブフレームはＣ個のシンボルを含み、最初のｘ個のシンボルは保護期間であり、最後のｙ個のシンボルはアップリンクサービス送信のために使用されるアップリンクパイロットタイムスロットであり、Ｃ＝ｘ＋ｙ且つｘ＞Ｃ／２である。
【００６３】
さらに、第１サブフレームは、ダウンリンクサービス送信のために使用される少なくとも１つの第２シンボルを更に含み、第２シンボルは保護期間に先行する。
【００６４】
具体的には、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、且つｘ≦Ｃ／２である。あるいは、
第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、且つｙ＝Ｃ／２である。
【００６５】
第１サブフレームでは、ダウンリンクサービス送信のために使用される第２シンボルは、具体的には、物理ダウンリンク制御チャネル（Physical  Downlink  Control  Channel、略してＰＤＣＣＨ）を送信するために使用されて良く、物理ダウンリンク共有チャネル（Physical  Downlink  Shared  Channel、略してＰＤＳＣＨ）を送信するために更に使用されて良い。アップリンクサービス送信のために使用される第１シンボルは、サウンディング参照信号（Sounding  Reference  Signal、ＳＲＳ）又は物理ランダムアクセスチャネル（Physical  Random  Access  Channel、略してＰＲＡＣＨ）信号を送信するために使用されて良い。保護期間は、チャネルが別のリモート局へのアップリンク干渉を生じることを防ぎ、カバレッジエリアを決定し、及び更に端末信号が基地局に同期して到着することを保証するために、ダウンリンクサービス送信のために使用されるシンボルからアップリンクサービス送信のために使用されるシンボルを分離するために使用される。
【００６６】
任意的に、基地局は、第１サブフレームをＭＢＭＳサブフレームとして示して良い。基地局が、無線フレーム構成情報に従い構成された無線フレームを用いることにより、ＵＥと通信することは、具体的には、以下を含む：基地局は、示されたＭＢＭＳサブフレームを用いることにより、ＵＥへＭＢＭＳデータを送信する。このように、１ｍｓに等しいＴＴＩを使用する第１ＵＥは、第１サブフレームの中のＮ個のシンボルの中でダウンリンク制御チャネルを受信した後に、もはやデータを受信しない。基地局が無線フレーム構成情報に従い構成された無線フレームを用いることによりＵＥと通信するとき、基地局は、ＵＥによる信号測定を実現するために、構成された無線フレームの第１サブフレームを使用することにより、ＵＥへ共通参照信号を更に送信して良い。この場合、ＵＥは、ＭＢＭＳサブフレームの中の最初の幾つかのシンボルから全ての必要なスケジューリング情報等を取得できる。
【００６７】
例えば、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、ｙ＝Ｃ／２、且つＣ＝１４である。１ｍｓに等しいＴＴＩを使用する第１ＵＥは、第１サブフレームの中の最初のＮ個のシンボルの中でダウンリンク制御チャネルを受信した後に、もはやデータを受信しない。１ｍｓより小さい（例えば０．５ｍｓ）ＴＴＩを使用する第２ＵＥは、第２ＵＥが第１サブフレームの中の最初の幾つかのシンボルの中で第２ＵＥのダウンリンクスケジューリング情報を検出した場合、第１サブフレームの残りの時間の中で他のデータを受信して良い。したがって、第１ＵＥと第２ＵＥとの間の互換性が保証され、異なるＴＴＩを使用する新バージョンのＵＥと旧バージョンのＵＥとの間の相互干渉が回避される。
【００６８】
任意的に、第２サブフレームは、保護期間と、ダウンリンクサービス送信のために使用される少なくとも１つの第３シンボルと、を含み、保護期間は第３シンボルにより先行される。
【００６９】
具体的には、第２サブフレームはＰ個のシンボルを含み、最初のａ個のシンボルはダウンリンクサービス送信のために使用されるダウンリンクパイロットタイムスロットであり、最後のｂ個のシンボルは保護期間であり、ａ＝Ｐ／２、且つｂ＝Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルは保護期間であり、Ｐ＝ａ＋ｂ、且つａ＞Ｐ／２である。
【００７０】
さらに、第２サブフレームは、アップリンクサービス送信のために使用される少なくとも１つの第４シンボルを更に含み、第４シンボルは保護期間により先行される。
【００７１】
具体的には、第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、且つａ≦Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【００７２】
第２サブフレームの中で、ダウンリンクサービス送信のために使用される第３シンボルは、具体的には、ＰＤＣＣＨ信号を送信するために使用されて良く、ＰＤＳＣＨ信号を送信するために更に使用されて良い。アップリンクサービス送信のために使用される第４シンボルは、ＳＲＳ又はＰＲＡＣＨ信号を送信するために使用されて良い。保護期間は、チャネルが別のリモート局へのアップリンク干渉を生じることを防ぎ、カバレッジエリアを決定し、及び更に端末信号が基地局に同期して到着することを保証するために、ダウンリンクサービス送信のために使用されるシンボルからアップリンクサービス送信のために使用されるシンボルを分離するために使用される。
【００７３】
基地局は、無線フレーム構成情報、無線フレーム期間長、決定されたＴＴＩ、及び他の情報を、別の基地局へ更に送信して良く、各基地局が端末と通信するために該基地局により使用されるサブフレームの位置を決定できるようにする。これは、基地局間の送信干渉を回避できる。
【００７４】
無線フレーム構成情報が、１つの無線フレームのＮ個の連続するダウンリンクサブフレームのうちの少なくとも１つを第１サブフレームとして設定するようＵＥに指示するために使用される場合について、以下のように説明が与えられる。
【００７５】
（１）ＴＤＤシステムでは、無線フレーム期間は不変であり、各サブフレームの期間も不変であり、１つのサブフレームは１４個のシンボルを含む。ＴＴＩはサブフレーム期間に等しい。無線フレーム構成では、１つの無線フレームの２個以上の連続するダウンリンクサブフレームのうちの少なくとも１つは、第１サブフレームとして構成される。つまり、表２に示すように、ＤＬ切替ポイントのグループが、各無線フレームに追加される。これは、幾つかのサブフレームの中のＵＬ／ＤＬ切替を待機するための時間間隔を短縮し、それによりシステムＲＴＴを短縮する。表２では、「Ｘ」は第１サブフレームを表す。
［表２］
【表２】
0006580698.tif 000003
【００７６】
第１サブフレームは、限定ではないが、図３に示すように（図は単なる一例であり、本発明の実施形態において提供されるソリューションにいかなる特別な限定も課さない）、以下の方法で構成されて良い。
【００７７】
方法１：第１サブフレームの中の最初の７個のシンボルは保護期間であり、最後の７個のシンボルはアップリンクサービス送信のために使用されるアップリンクパイロットタイムスロットである。
【００７８】
方法２：第１サブフレームの中の最初のｘ個のシンボルは保護期間であり、最後のｙ個のシンボルはアップリンクサービス送信のために使用されるアップリンクパイロットタイムスロットであり、１４＝ｘ＋ｙ、且つｘ＞７である。
【００７９】
方法３：第１サブフレームの中の最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、１４＝ｘ＋ｙ＋ｚ、且つｘ≦７である。
【００８０】
方法４：第１サブフレームの中の最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、１４＝ｘ＋ｙ＋ｚ、ｘ＜７、且つｙ＝７である。
【００８１】
任意的に、上述の構成により、無線フレーム期間は不変に保たれ、１０ｍｓのままであり、サブフレーム期間は、元のサブフレーム期間の１／ｎにまで短縮され、ｎ＞１であり、ｎは正整数である。サブフレームは、ｎ個の部分に均等に分割されて良く、各部分を占有するシンボルの使用は不変である。ＴＴＩはサブフレーム期間に等しい。例えば、ｎ＝２である。この場合、変化の後に、アップリンクサブフレームは２個のアップリンクサブフレームになり、ダウンリンクサブフレームは２個のダウンリンクサブフレームになる。第１サブフレームが構成される前述の方法１に基づき、最初の７個のシンボルは、１サブフレームの期間であり、保護期間として一緒に使用され、最後の７個のシンボルは、アップリンクパイロットタイムスロットであり、アップリンクサブフレームとして考えられ得る１サブフレームとして使用される。他の方法は、図４に示される。
【００８２】
任意的に、無線フレーム期間は、不変であり、依然として１０ｍｓであって良く、サブフレーム期間は不変であって良い。送信時間間隔ＴＴＩは短縮される。例えば、短縮されたＴＴＩは０．５ｍｓである。例えば、方法４で、構成された第１サブフレームについて、現在のＴＴＩの中の最初の幾つかのシンボルは、ダウンリンクサービス送信のために使用され、次のＴＴＩは、アップリンクサービス送信のためのアップリンクサブフレームとして使用される。
【００８３】
（２）一般的に、ＴＤＤシステムでは、無線フレーム期間は不変であり、１０ｍｓのままであり、サブフレーム期間は、元のサブフレーム期間の１／ｎにまで短縮でき、ｎ＞１であり、ｎは任意的に整数である。サブフレーム期間の短縮に基づき、２個以上の連続するダウンリンクサブフレームのうちの少なくとも１つは、第１サブフレームとして構成されて良い。
【００８４】
構成された第１サブフレームは、保護期間と、アップリンクサービス送信のために使用される少なくとも１つの第１シンボルと、を含み、保護期間は第１シンボルに先行する。
【００８５】
具体的には、第１サブフレームはＣ個のシンボルを含み、最初のｘ個のシンボルは保護期間であり、最後のｙ個のシンボルはアップリンクサービス送信のために使用されるアップリンクパイロットタイムスロットであり、ｘ＝Ｃ／２且つｙ＝Ｃ／２である。あるいは、
第１サブフレームはＣ個のシンボルを含み、最初のｘ個のシンボルは保護期間であり、最後のｙ個のシンボルはアップリンクサービス送信のために使用されるアップリンクパイロットタイムスロットであり、Ｃ＝ｘ＋ｙ且つｘ＞Ｃ／２である。
【００８６】
さらに、構成された第１サブフレームは、ダウンリンクサービス送信のために使用される少なくとも１つの第２シンボルを更に含み、第２シンボルは保護期間に先行する。
【００８７】
具体的には、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、且つｘ≦Ｃ／２である。あるいは、
第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、且つｙ＝Ｃ／２である。
【００８８】
例えば、ｎ＝２である。本例では、サブフレーム期間は０．５ｍｓである。ＴＴＩ長はサブフレーム期間、つまり０．５ｍｓに等しい。シンボル長は、既存のＴＤＤ  ＬＴＥシステムにおけるものと同じである。
【００８９】
本発明では、サブフレームは、既存のＴＤＤシステムにおけるものと同じである番号付け方法で番号付けされる。つまり、１つの無線フレームの中で、サブフレームは、０から番号付けされる。１つの無線フレームの中で、第１サブフレームはサブフレーム０であり、第２サブフレームはサブフレーム１であり、以下同様である。説明は、以後繰り返されない。
【００９０】
ｎ＝２のとき、複数のＴＤＤ構成方法が存在して良い。以下は、一例を用いることにより、ＴＤＤ構成方法のうちの１つを記載する。複数の可能なＴＤＤ構成方法が存在するので、方法は１つずつ列挙されない。例えば、ＴＤＤ構成方法は、表３に示される。
［表３］
【表３】
0006580698.tif 000004
【００９１】
留意すべきことに、以下の全ての表の中のＴＤＤ構成では、ＴＴＩが１ｍｓ未満のサブフレーム構成と元のサブフレームとの間の対応は、表３の中の対応と同じであり、説明は特別な場合でない限り繰り返されない。
【００９２】
表１の既存のＴＤＤ  ＬＴＥシステムのＴＤＤ構成と比べて、表３では、ダウンリンク−アップリンク切替ポイント期間は変化せず、１つの元のサブフレームが２つの同じ連続するサブフレームに変更される。
【００９３】
実際の実装では、考慮される異なるカバレッジシナリオにより、表３の中のＳサブフレームの期間は変更されて良い。例えば、小さなカバレッジシナリオでは（つまり、セルカバレッジ半径が予め設定されたカバレッジ半径閾より大きくない）、サブフレーム２のみがＳサブフレームとして設定されて良く、サブフレーム３はアップリンクサブフレームとして設定されて良い。１０ｍｓの無線フレームでは、サブフレーム２及びサブフレーム１２はＳサブフレームであり、サブフレーム３及びサブフレーム１３はアップリンクサブフレームに変更される。大きなカバレッジシナリオでは（つまり、セルカバレッジ半径が予め設定されたカバレッジ半径閾より大きい）、比較的大きなＧＰ長が必要なので、複数の連続するサブフレームがＳサブフレームとして占有される必要があって良い。例えば、表３の中の構成方法が使用されて良く、２つの連続するサブフレームはＳサブフレームとして占有される。
【００９４】
前述の原理では、２個以上の連続するダウンリンクサブフレームのうちの少なくとも１つは、第１サブフレームとして構成される。
【００９５】
例えば、表４を参照する。
［表４］
【表４】
0006580698.tif 000005
【００９６】
任意的に、第１サブフレームは、２つの短縮されたサブフレームの位置を更に占有して良い。
【００９７】
例えば、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、且つｙ＝Ｃ／２である。本例では、Ｃ＝１４が決定される。現在のＴＴＩは、ダウンリンクサービス送信のために使用され、ＵＬデータスケジューリングを含む。次のＴＴＩは、アップリンクサービス送信、例えばＵＬデータ送信又はＤＬデータのＵＬフィードバックのために使用される。
【００９８】
前述のシナリオでは、対応するＴＤＤ  ＨＡＲＱ時系列は、再設計される必要がある。
【００９９】
以下は、先ず、ＵＬ  ＨＡＲＱ時系列を記載する。
【０１００】
ＵＬデータを送信するための時系列は以下の通りである。
【０１０１】
ステップ１：ＤＬサブフレーム（サブフレーム期間はここでは０．５ｍｓである）ｎの中でＵＬスケジューリング情報を送信し、情報はＵＬ許可情報を含む。送信時間はＴＴＩ  ｎであると想定される。
【０１０２】
ステップ２：ＵＬ許可を受信した後、ＵＥはＴＴＩ  ｎ＋ｋの中でＵＬデータを送信する。ここで、ｋは４ＴＴＩ以上であり、サブフレームｎ＋ｋはＵＬサブフレームである。例えば、ｋの値は表５に示される（ｋの値設定は、一例として表４の中のサブフレーム構成を用いることにより記載される）。
［表５］
【表５】
0006580698.tif 000006
【０１０３】
ステップ３：ｅＮＢは、サブフレームｎ＋ｋ＋ｋ１の中で、ＵＬデータに対するＤＬフィードバックを送信する。ここで、ｋ１は４ＴＴＩ以上であり、サブフレームｎ＋ｋ＋ｋ１はＤＬサブフレームである。例えば、ｋ１の値は表６に示される（ｋ１の値設定は、一例として表４の中のサブフレーム構成を用いることにより記載される）。
［表６］
【表６】
0006580698.tif 000007
【０１０４】
ステップ４：ｅＮＢがサブフレームｎ＋ｋ＋ｋ１の中でＮＡＣＫをフィードバックする場合、ＵＥはサブフレームｎ＋ｋ＋ｋ１＋ｋの中で再送を実行する。
【０１０５】
ＤＬ  ＨＡＲＱ時系列
【０１０６】
ＤＬデータを送信するための時系列は以下の通りである。
【０１０７】
ステップ１：ｅＮＢは、サブフレームｎの中でＵＥへＤＬデータを送信する。ここで、サブフレームｎはＤＬサブフレームである。
【０１０８】
ステップ２：ＵＥは、サブフレームｎ＋ｋ２の中で、ｅＮＢへＵＬフィードバックを送信する。ここで、ｋ２は４サブフレーム以上であり、ｎ＋ｋ２はＵＬサブフレームである。ｋ２の値は表７に示される（ｋ２の値設定は、一例として表４の中のサブフレーム構成を用いることにより記載される）。
［表７］
【表７】
0006580698.tif 000008
【０１０９】
無線フレーム構成情報が、１つの無線フレームのＭ個の連続するアップリンクサブフレームのうちの少なくとも１つを第２サブフレームとして設定するようＵＥに指示するために使用される場合について、以下のように特定の説明が与えられる。
【０１１０】
（１）ＴＤＤシステムでは、無線フレーム期間は不変であり、各サブフレームの期間も不変であり、１つのサブフレームは１４個のシンボルを含む。ＴＴＩはサブフレーム期間に等しい。無線フレーム構成では、２個以上の連続するアップリンクサブフレームのうちの少なくとも１つは、第２サブフレームとして構成される。つまり、表８に示すように、ＴＴＩは例えば１ｍｓに等しく、ＴＴＩ調波サブフレーム期間に等しく、ＤＬ切替ポイントのグループは各無線フレームに追加される。これは、幾つかのサブフレームの中のＵＬ／ＤＬ切替を待機するための時間間隔を短縮し、それによりシステムＲＴＴを短縮する。表８では、「Ｅ」は第２サブフレームを表す。
［表８］
【表８】
0006580698.tif 000009
【０１１１】
任意的に、第２サブフレームは、限定ではないが、図５に示すように（図は単なる一例であり、本発明の実施形態において提供されるソリューションにいかなる特別な限定も課さない）、以下の方法で構成されて良い。
【０１１２】
（１）第２サブフレームはＰ個のシンボルを含み、最初のａ個のシンボルはダウンリンクパイロットタイムスロットであり、最後のｂ個のシンボルはアップリンクパイロットタイムスロットであり、中間のｗ個のシンボルは保護期間であり、Ｐ＝ａ＋ｂ＋ｗ、且つａ≦Ｐ／２である。
【０１１３】
（２）第２サブフレームはＰ個のシンボルを含み、最初のａ個のシンボルはダウンリンクパイロットタイムスロットであり、最後のｂ個のシンボルはアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【０１１４】
（３）第２サブフレームはＰ個のシンボルを含み、最初のａ個のシンボルはダウンリンクパイロットタイムスロットであり、最後のｂ個のシンボルは保護期間であり、ａ＝Ｐ／２、且つｂ＝Ｐ／２である。
【０１１５】
（４）第２サブフレームはＰ個のシンボルを含み、最初のａ個のシンボルはダウンリンクパイロットタイムスロットであり、最後のｂ個のシンボルは保護期間であり、Ｐ＝ａ＋ｂ、且つａ＞Ｐ／２である。
【０１１６】
ここで、Ｐ＝１４である。
【０１１７】
任意的に、上述の構成により、無線フレーム期間は不変に保たれ、１０ｍｓのままであり、サブフレーム期間は、元のサブフレーム期間の１／ｎにまで短縮され、ｎ＞１であり、ｎは正整数である。サブフレームは、ｎ個の部分に均等に分割されて良く、各部分を占有するシンボルの使用は不変である。ＴＴＩはサブフレーム期間に等しい。例えば、ｎ＝２である。この場合、変化の後に、アップリンクサブフレームは２個のアップリンクサブフレームになり、ダウンリンクサブフレームは２個のダウンリンクサブフレームになる。第２サブフレームが構成される前述の第３の方法に基づき、最初の７個のシンボルは、ダウンリンクパイロットタイムスロットであり、ダウンリンクサブフレームとして考えられ得る１つのサブフレームとして使用され、最後の７個のシンボルは、１サブフレームの期間であり、一緒に保護期間として使用される。他の方法は、図５に示される。
【０１１８】
任意的に、無線フレーム期間は、不変であり、依然として１０ｍｓであって良く、サブフレーム期間は不変であって良い。送信時間間隔ＴＴＩは短縮される。例えば、短縮されたＴＴＩは０．５ｍｓである。例えば、第２の方法で、構成された第２サブフレームについて、現在のＴＴＩの中の最初の幾つかのシンボルは、ダウンリンクサービス送信のために使用され、次のＴＴＩは、アップリンクサブフレームとして考えられて良く、アップリンクサービス送信のために使用される。
【０１１９】
（２）一般的に、ＴＤＤシステムでは、無線フレーム期間は不変であり、１０ｍｓのままであり、サブフレーム期間は、元のサブフレーム期間の１／ｎにまで短縮でき、ｎ＞１であり、ｎは任意的に整数である。
【０１２０】
サブフレーム期間の短縮に基づき、２個以上の連続するダウンリンクサブフレームのうちの少なくとも１つは、第２サブフレームとして構成されて良い。
【０１２１】
任意的に、第２サブフレームは、保護期間と、ダウンリンクサービス送信のために使用される少なくとも１つの第３シンボルと、を含み、保護期間は第３シンボルにより先行される。
【０１２２】
具体的には、第２サブフレームはＰ個のシンボルを含み、最初のａ個のシンボルはダウンリンクサービス送信のために使用されるダウンリンクパイロットタイムスロットであり、最後のｂ個のシンボルは保護期間であり、ａ＝Ｐ／２、且つｂ＝Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルは保護期間であり、Ｐ＝ａ＋ｂ、且つａ＞Ｐ／２である。
【０１２３】
さらに、第２サブフレームは、アップリンクサービス送信のために使用される少なくとも１つの第４シンボルを更に含み、第４シンボルは保護期間により先行される。
【０１２４】
具体的には、第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、且つａ≦Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【０１２５】
例えば、ｎ＝２である。本例では、サブフレーム期間は０．５ｍｓである。ＴＴＩ長はサブフレーム期間、つまり０．５ｍｓに等しい。シンボル長は、既存のＴＤＤ  ＬＴＥシステムにおけるものと同じである。
【０１２６】
ｎ＝２のとき、複数のＴＤＤ構成方法が存在して良い。以下は、一例を用いることにより、ＴＤＤ構成方法のうちの１つを記載する。複数の可能なＴＤＤ構成方法が存在するので、方法は１つずつ列挙されない。例えば、ＴＤＤ構成方法は、表３に示される。
【０１２７】
表１の既存のＴＤＤ  ＬＴＥシステムのＴＤＤ構成と比べて、表３では、ダウンリンク−アップリンク切替ポイント期間は変化せず、１つの元のサブフレームが２つの同じ連続するサブフレームに変更される。
【０１２８】
実際の実装では、考慮される異なるカバレッジシナリオにより、表３の中のＳサブフレームの期間は変更されて良い。例えば、小さなカバレッジシナリオでは（つまり、セルカバレッジ半径が予め設定されたカバレッジ半径閾より大きくない）、サブフレーム２のみがＳサブフレームとして設定されて良く、サブフレーム３はアップリンクサブフレームとして設定されて良い。１０ｍｓの無線フレームでは、サブフレーム２及びサブフレーム１２はＳサブフレームであり、サブフレーム３及びサブフレーム１３はアップリンクサブフレームに変更される。
【０１２９】
大きなカバレッジシナリオでは（つまり、セルカバレッジ半径が予め設定されたカバレッジ半径閾より大きい）、比較的大きなＧＰ長が必要なので、複数の連続するサブフレームがＳサブフレームとして占有される必要があって良い。例えば、表３の中の構成方法が使用されて良く、２つの連続するサブフレームはＳサブフレームとして占有される。
【０１３０】
これに基づき、２個以上の連続するアップリンクサブフレームのうちの少なくとも１つは、ダウンリンクサービス送信のための又はダウンリンクサービス送信及びアップリンクサービス送信のための第２サブフレームとして構成されて良い。ＤＬ切替ポイントのグループは、各無線フレームに追加される。これは、幾つかのサブフレームの中のＵＬ／ＤＬ切替を待機するための時間間隔を短縮し、それによりシステムＲＴＴを短縮する。
【０１３１】
例えば、表９を参照する。
［表９］
【表９】
0006580698.tif 000010
【０１３２】
任意的に、第２サブフレームは、２個の短縮されたサブフレームの位置を更に占有して良く、ＴＴＩは０．５ｍｓに等しい。
【０１３３】
方法１：第２サブフレームはＰ個のシンボルを含み、最初のａ個のシンボルはダウンリンクサービス送信のために使用されるダウンリンクパイロットタイムスロットであり、最後のｂ個のシンボルは保護期間であり、ａ＝Ｐ／２、且つｂ＝Ｐ／２である。
【０１３４】
具体的には、現在のＴＴＩは、（ＤＬ許可及びＤＬデータの両方の）送信のための又はＵＬ許可の送信のためのＤＬサブフレームとして使用され、次のＴＴＩはＧＰとして使用される。
【０１３５】
方法２：第２サブフレームはＰ個のシンボルを含み、最初のａ個のシンボルはダウンリンクサービス送信のために使用されるダウンリンクパイロットタイムスロットであり、最後のｂ個のシンボルは保護期間であり、Ｐ＝ａ＋ｂ、且つａ＞Ｐ／２である。
【０１３６】
具体的には、現在のＴＴＩは、ＤＬデータ及びＤＬ許可／ＵＬ許可のために使用される。次のＴＴＩの中の最初の幾つかのシンボルは、ＰＤＣＣＨのためにのみ使用される。ＧＰは、ＤＬ−ＵＬ切替のために使用される。
【０１３７】
方法３：第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、且つａ≦Ｐ／２である。
【０１３８】
具体的には、現在のＴＴＩの中の最初の幾つかのシンボルは、ダウンリンクサービス送信のために使用され、次のＴＴＩの最後の幾つかのシンボルはアップリンクサービス送信のために使用される。
【０１３９】
方法４：第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【０１４０】
具体的には、幾つかのシンボルを占有するＰＤＣＣＨシンボルは、現在のＴＴＩ（０．５ｍｓ）の中に存在し、ＵＬ許可を送信するために使用され、幾つかのシンボルを占有するＧＰは、中間に存在し、次のＴＴＩ（０．５ｍｓ）のタイムスロットは、ＵＬデータを送信するためのホールドＵＬサブフレームとして使用される。
【０１４１】
具体的には、ＧＰ長はセルカバレッジ半径に従い決定されて良い。セルカバレッジ半径が予め設定されたカバレッジ半径閾より大きい場合には、専用サブフレームは方法１で構成されて良い。セルカバレッジ半径が予め設定されたカバレッジ半径閾より小さい場合には、専用サブフレームは方法２乃至方法４のいずれか１つで構成されて良い。
【０１４２】
任意的に、基地局が無線フレーム構成情報に従い構成された無線フレームを用いることによりＵＥと通信することは、具体的には、第２サブフレーム内のアップリンクパイロットタイムスロットを用いることにより、ＵＥにより送信されたアップリンク制御情報及び／又はアップリンクデータを受信することであって良い。アップリンク制御情報は、アップリンク応答情報、アップリンクスケジューリング情報、又はチャネル状態情報のうちの少なくとも１つを含む。
【０１４３】
任意的に、基地局は、ＵＥとのデータ送信を実行するためにＨＡＲＱプロセスの時系列を決定し、決定したＨＡＲＱプロセスの時系列の中でＵＥとのデータ送信を実行するよう更に構成される。
【０１４４】
前述のシナリオでは、対応するＴＤＤ  ＨＡＲＱ時系列は、再設計される必要がある。
【０１４５】
以下は、先ず、ＵＬ  ＨＡＲＱ時系列を記載する。
【０１４６】
ＵＬデータを送信するための時系列は以下の通りである。
【０１４７】
ステップ１：ＤＬサブフレーム（サブフレーム期間はここでは０．５ｍｓである）ｎの中でＵＬスケジューリング情報を送信し、情報はＵＬ許可情報を含む。送信時間はＴＴＩ  ｎであると想定される。
【０１４８】
ステップ２：ＵＬ許可を受信した後、ＵＥはＴＴＩ  ｎ＋ｋの中でＵＬデータを送信する。ここで、ｋは４ＴＴＩ以上であり、サブフレームｎ＋ｋはＵＬサブフレームである。例えば、ｋの値は表１０に示される（ｋの値設定は、一例として表９の中のサブフレーム構成を用いることにより記載される）。
［表１０］
【表１０】
0006580698.tif 000011
【０１４９】
ステップ３：ｅＮＢは、サブフレームｎ＋ｋ＋ｋ１の中で、ＵＬデータに対するＤＬフィードバックを送信する。ここで、ｋ１は４ＴＴＩ以上であり、サブフレームｎ＋ｋ＋ｋ１はＤＬサブフレームである。例えば、ｋ１の値は表１１に示される（ｋ１の値設定は、一例として表９の中のサブフレーム構成を用いることにより記載される）。
［表１１］
【表１１】
0006580698.tif 000012
【０１５０】
ステップ４：ｅＮＢがサブフレームｎ＋ｋ＋ｋ１の中でＮＡＣＫをフィードバックする場合、ＵＥはサブフレームｎ＋ｋ＋ｋ１＋ｋの中で再送を実行する。
【０１５１】
以下は、ＵＬ  ＨＡＲＱ時系列を記載する。
【０１５２】
ＤＬデータを送信するための時系列は以下の通りである。
【０１５３】
ステップ１：ｅＮＢは、サブフレームｎの中でＵＥへＤＬデータを送信する。ここで、サブフレームｎはＤＬサブフレームである。
【０１５４】
ステップ２：ＵＥは、サブフレームｎ＋ｋ２の中で、ｅＮＢへＵＬフィードバックを送信する。ここで、ｋ２は４サブフレーム以上であり、ｎ＋ｋ２はＵＬサブフレームである。ｋ２の値は表１２に示される（ｋ２の値設定は、一例として表９の中のサブフレーム構成を用いることにより記載される）。
［表１２］
【表１２】
0006580698.tif 000013
【０１５５】
図２に示す実施形態のものと同じ発明思想に基づき、本発明の一実施形態は、時分割複信システムにおける別の通信方法を更に提供する。図２に示す実施形態のものと同じ内容はここで繰り返されない。図６に示すように、方法は以下のステップを含む。
【０１５６】
ステップ６０１：ＵＥは、基地局により送信された無線フレーム構成情報を受信する。
【０１５７】
ステップ６０２：無線フレーム構成情報に従い、ＵＥは、１つの無線フレームのＮ個の連続するダウンリンクサブフレームのうちの少なくとも１つが第１サブフレームとして構成されることを決定し、及び／又は１つの無線フレームのＭ個の連続するアップリンクサブフレームのうちの少なくとも１つが第２サブフレームとして構成されることを決定する。ここで、第１サブフレームはアップリンクサービス送信のために使用され、第２サブフレームはダウンリンクサービス送信のために使用され、Ｎ及びＭは２以上の正整数である。
【０１５８】
ステップ６０３：ＵＥは、無線フレーム構成情報に従い決定された無線フレームを用いることにより、基地局と通信する。
【０１５９】
前述の実施形態において提供された方法に従い、ＵＥがダウンリンクサブフレームの中で基地局により送信されたダウンリンクデータを受信した後に、ＵＥは、後続のアップリンクサブフレームの中で、基地局へ、ダウンリンクデータ受信のフィードバック情報を送信する必要がある。本発明において提供される方法に従い、ＵＥがダウンリンクサブフレームの中で基地局により送信されたダウンリンクデータを受信した後に、少なくとも２つの連続するダウンリンクサブフレームのうちの少なくとも１つは第１サブフレームとして構成されるので、ＵＥは、基地局へダウンリンクデータ受信のフィードバック情報を送信するために、後続のアップリンクサブフレームまで待機する代わりに、第１サブフレームの中で基地局へダウンリンクデータ受信のフィードバック情報を送信できる。代替で、ＵＥがアップリンクサブフレームの中で基地局へアップリンクデータを送信した後に、少なくとも２つの連続するアップリンクサブフレームのうちの少なくとも１つは第２サブフレームとして構成されるので、ＵＥは、基地局からフィードバック情報を受信するために後続のダウンリンクサブフレームまで待機する代わりに、第２サブフレームの中で基地局からフィードバック情報を受信できる。このように、ＵＬ／ＤＬ切替を待つための時間間隔は短縮され、システムＲＴＴが短縮される。
【０１６０】
任意的に、第１サブフレームは、保護期間と、アップリンクサービス送信のために使用される少なくとも１つの第１シンボルと、を含み、保護期間は第１シンボルに先行する。
【０１６１】
具体的には、第１サブフレームはＣ個のシンボルを含み、最初のｘ個のシンボルは保護期間であり、最後のｙ個のシンボルはアップリンクサービス送信のために使用されるアップリンクパイロットタイムスロットであり、ｘ＝Ｃ／２且つｙ＝Ｃ／２である。あるいは、
第１サブフレームはＣ個のシンボルを含み、最初のｘ個のシンボルは保護期間であり、最後のｙ個のシンボルはアップリンクサービス送信のために使用されるアップリンクパイロットタイムスロットであり、Ｃ＝ｘ＋ｙ且つｘ＞Ｃ／２である。
【０１６２】
さらに、第１サブフレームは、ダウンリンクサービス送信のために使用される少なくとも１つの第２シンボルを更に含み、第２シンボルは保護期間に先行する。
【０１６３】
具体的には、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、且つｘ≦Ｃ／２である。あるいは、
第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、且つｙ＝Ｃ／２である。
【０１６４】
任意的に、第２サブフレームは、保護期間と、ダウンリンクサービス送信のために使用される少なくとも１つの第３シンボルと、を含み、保護期間は第３シンボルにより先行される。
【０１６５】
具体的には、第２サブフレームはＰ個のシンボルを含み、最初のａ個のシンボルはダウンリンクサービス送信のために使用されるダウンリンクパイロットタイムスロットであり、最後のｂ個のシンボルは保護期間であり、ａ＝Ｐ／２、且つｂ＝Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルは保護期間であり、Ｐ＝ａ＋ｂ、且つａ＞Ｐ／２である。
【０１６６】
さらに、第２サブフレームは、アップリンクサービス送信のために使用される少なくとも１つの第４シンボルを更に含み、第４シンボルは保護期間により先行される。
【０１６７】
具体的には、第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、且つａ≦Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【０１６８】
本発明の一実施形態は、基地局を更に提供する。図７に示すように、基地局は以下を含む：
無線フレーム構成情報を決定するよう構成される決定ユニット７０１、
決定ユニット７０１により決定された無線フレーム構成情報をユーザ機器ＵＥへ送信する送信ユニット７０２であって、無線フレーム構成情報は、１つの無線フレームのＮ個の連続するダウンリンクサブフレームのうちの少なくとも１つを第１サブフレームとして設定するようＵＥに指示するために使用され、及び／又は無線フレーム構成情報は、１つの無線フレームのＭ個の連続するアップリンクサブフレームのうちの少なくとも１つを第２サブフレームとして設定するようＵＥに指示するために使用され、第１サブフレームはアップリンクサービス送信のために使用され、第２サブフレームはダウンリンクサービス送信のために使用され、Ｎ及びＭは２以上の正整数である、送信ユニット７０２、
無線フレーム構成情報に従い構成された無線フレームを用いることにより、ＵＥと通信するよう構成される通信ユニット７０３。
【０１６９】
任意的に、第１サブフレームは、保護期間と、アップリンクサービス送信のために使用される少なくとも１つの第１シンボルと、を含み、保護期間は第１シンボルに先行する。
【０１７０】
具体的には、第１サブフレームはＣ個のシンボルを含み、最初のｘ個のシンボルは保護期間であり、最後のｙ個のシンボルはアップリンクサービス送信のために使用されるアップリンクパイロットタイムスロットであり、ｘ＝Ｃ／２且つｙ＝Ｃ／２である。あるいは、
第１サブフレームはＣ個のシンボルを含み、最初のｘ個のシンボルは保護期間であり、最後のｙ個のシンボルはアップリンクサービス送信のために使用されるアップリンクパイロットタイムスロットであり、Ｃ＝ｘ＋ｙ且つｘ＞Ｃ／２である。
【０１７１】
さらに、第１サブフレームは、ダウンリンクサービス送信のために使用される少なくとも１つの第２シンボルを更に含み、第２シンボルは保護期間に先行する。
【０１７２】
具体的には、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、且つｘ≦Ｃ／２である。あるいは、
第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、且つｙ＝Ｃ／２である。
【０１７３】
任意的に、第２サブフレームは、保護期間と、ダウンリンクサービス送信のために使用される少なくとも１つの第３シンボルと、を含み、保護期間は第３シンボルにより先行される。
【０１７４】
具体的には、第２サブフレームはＰ個のシンボルを含み、最初のａ個のシンボルはダウンリンクサービス送信のために使用されるダウンリンクパイロットタイムスロットであり、最後のｂ個のシンボルは保護期間であり、ａ＝Ｐ／２、且つｂ＝Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルは保護期間であり、Ｐ＝ａ＋ｂ、且つａ＞Ｐ／２である。
【０１７５】
任意的に、第２サブフレームは、アップリンクサービス送信のために使用される少なくとも１つの第４シンボルを更に含み、第４シンボルは保護期間により先行される。
【０１７６】
具体的には、第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、且つａ≦Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【０１７７】
任意的に、送信ユニット７０２は、具体的には、次のように構成される：
基地局のために、ブロードキャストメッセージを用いることにより、ＵＥへ無線フレーム構成情報を送信し、
基地局のために無線リソース制御ＲＲＣ専用シグナリング、媒体アクセス制御ＭＡＣシグナリング、又は物理ダウンリンク制御チャネルＰＤＣＣＨシグナリングを用いることにより、ＵＥへ無線フレーム構成情報を送信する。
【０１７８】
本発明の一実施形態は、ユーザ機器を提供する。図８に示すように、ユーザ機器は以下を含む：
基地局により送信された無線フレーム構成情報を受信するよう構成される受信ユニット８０１、
決定ユニット８０２であって、無線フレーム構成情報に従い、１つの無線フレームのＮ個の連続するダウンリンクサブフレームのうちの少なくとも１つが第１サブフレームとして構成されることを決定し、及び／又は１つの無線フレームのＭ個の連続するアップリンクサブフレームのうちの少なくとも１つが第２サブフレームとして構成されることを決定するよう構成され、第１サブフレームはアップリンクサービス送信のために使用され、第２サブフレームはダウンリンクサービス送信のために使用され、Ｎ及びＭは２以上の正整数である、決定ユニット８０２、
無線フレーム構成情報に従い決定された無線フレームを用いることにより、基地局と通信するよう構成される通信ユニット８０３。
【０１７９】
任意的に、第１サブフレームは、保護期間と、アップリンクサービス送信のために使用される少なくとも１つの第１シンボルと、を含み、保護期間は第１シンボルに先行する。
【０１８０】
具体的には、第１サブフレームはＣ個のシンボルを含み、最初のｘ個のシンボルは保護期間であり、最後のｙ個のシンボルはアップリンクサービス送信のために使用されるアップリンクパイロットタイムスロットであり、ｘ＝Ｃ／２且つｙ＝Ｃ／２である。あるいは、
第１サブフレームはＣ個のシンボルを含み、最初のｘ個のシンボルは保護期間であり、最後のｙ個のシンボルはアップリンクサービス送信のために使用されるアップリンクパイロットタイムスロットであり、Ｃ＝ｘ＋ｙ且つｘ＞Ｃ／２である。
【０１８１】
さらに、第１サブフレームは、ダウンリンクサービス送信のために使用される少なくとも１つの第２シンボルを更に含み、第２シンボルは保護期間に先行する。
【０１８２】
具体的には、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、且つｘ≦Ｃ／２である。あるいは、
第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、且つｙ＝Ｃ／２である。
【０１８３】
任意的に、第２サブフレームは、保護期間と、ダウンリンクサービス送信のために使用される少なくとも１つの第３シンボルと、を含み、保護期間は第３シンボルにより先行される。
【０１８４】
具体的には、第２サブフレームはＰ個のシンボルを含み、最初のａ個のシンボルはダウンリンクサービス送信のために使用されるダウンリンクパイロットタイムスロットであり、最後のｂ個のシンボルは保護期間であり、ａ＝Ｐ／２、且つｂ＝Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルは保護期間であり、Ｐ＝ａ＋ｂ、且つａ＞Ｐ／２である。
【０１８５】
さらに、第２サブフレームは、アップリンクサービス送信のために使用される少なくとも１つの第４シンボルを更に含み、第４シンボルは保護期間により先行される。
【０１８６】
具体的には、第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、且つａ≦Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【０１８７】
留意すべきことに、本発明の実施形態におけるユニット分割は一例であり、単なる論理的な機能分割である。実際の実装では、別の分割方法が存在して良く、又は、幾つかの機能は無視されて良く若しくは実行されなくて良い。さらに、本願の実施形態における機能ユニットは、１つの処理ユニットに統合されて良く、或いは各ユニットが物理的に単独で存在して良く、或いは２以上のユニットが１つのユニットに統合されて良い。統合ユニットは、ハードウェアの形式で実装されて良く、又はソフトウェア機能ユニットの形式で実装されて良い。
【０１８８】
統合ユニットがソフトウェア機能ユニットの形式で実装され、独立した製品として販売され又は使用されるとき、統合ユニットは、コンピュータ可読記憶媒体に格納されて良い。このような理解に基づき、本願の基本的技術的ソリューション、又は従来技術に貢献する部分、又は全部又は一部の技術的ソリューションは、ソフトウェア製品の形式で実施されて良い。コンピュータソフトウェア製品は、記憶媒体に格納され、コンピュータ装置（パーソナルコンピュータ、サーバ、ネットワーク装置、等であって良い）又はプロセッサ（processor）に、本願の実施形態における方法のステップの全部又は一部を実行するよう指示する複数の命令を有する。前述の記憶媒体は、ＵＳＢフラッシュドライブ、取り外し可能ハードディスク、読み出し専用メモリ（ROM、Read−Only  Memory）、ランダムアクセスメモリ（RAM、Random  Access  Memory）、磁気ディスク又は光ディスクのような、プログラムコードを格納可能な任意の媒体を含む。
【０１８９】
本発明の一実施形態は、基地局を更に提供する。図９に示すように、基地局は以下を含む：
通信機９０１、プロセッサ９０２、バス９０３、及びメモリ９０４。
【０１９０】
通信機９０１、プロセッサ９０２及びメモリ９０４は、バス９０３を用いることにより互いに接続される。バス９０３は、周辺機器相互接続（peripheral  component  interconnect、略してＰＣＩ）バス、拡張業界標準アーキテクチャ（extended  industry  standard  architecture、略してＥＩＳＡ）バス、等であって良い。バスは、アドレスバス、データバス、制御バス、等に分類できる。指示の便宜上、バスは、図９に１本の太線のみを用いることにより表されるが、１本のみのバス又は１種類のみのバスが存在することを示すものではない。
【０１９１】
メモリ９０４は、実行可能プログラムを格納するよう構成される。
【０１９２】
プロセッサ９０２は、以下を実行するために、メモリ９０４に格納された実行可能プログラムを実行するよう構成される：
プロセッサ９０２により、無線フレーム構成情報を決定するステップ、
通信機９０１により、プロセッサ９０２により決定された無線フレーム構成情報をユーザ機器ＵＥへ送信するステップであって、無線フレーム構成情報は、１つの無線フレームのＮ個の連続するダウンリンクサブフレームのうちの少なくとも１つを第１サブフレームとして設定するようＵＥに指示するために使用され、及び／又は無線フレーム構成情報は、１つの無線フレームのＭ個の連続するアップリンクサブフレームのうちの少なくとも１つを第２サブフレームとして設定するようＵＥに指示するために使用され、第１サブフレームはアップリンクサービス送信のために使用され、第２サブフレームはダウンリンクサービス送信のために使用され、Ｎ及びＭは２以上の正整数である、ステップ、
プロセッサ９０２は、無線フレーム構成情報に従い構成された無線フレームを用いることにより、ＵＥと通信するよう構成される。
【０１９３】
任意的に、第１サブフレームは、保護期間と、アップリンクサービス送信のために使用される少なくとも１つの第１シンボルと、を含み、保護期間は第１シンボルに先行する。
【０１９４】
具体的には、第１サブフレームはＣ個のシンボルを含み、最初のｘ個のシンボルは保護期間であり、最後のｙ個のシンボルはアップリンクサービス送信のために使用されるアップリンクパイロットタイムスロットであり、ｘ＝Ｃ／２且つｙ＝Ｃ／２である。あるいは、
第１サブフレームはＣ個のシンボルを含み、最初のｘ個のシンボルは保護期間であり、最後のｙ個のシンボルはアップリンクサービス送信のために使用されるアップリンクパイロットタイムスロットであり、Ｃ＝ｘ＋ｙ且つｘ＞Ｃ／２である。
【０１９５】
さらに、第１サブフレームは、ダウンリンクサービス送信のために使用される少なくとも１つの第２シンボルを更に含み、第２シンボルは保護期間に先行する。
【０１９６】
具体的には、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、且つｘ≦Ｃ／２である。あるいは、
第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、且つｙ＝Ｃ／２である。
【０１９７】
任意的に、第２サブフレームは、保護期間と、ダウンリンクサービス送信のために使用される少なくとも１つの第３シンボルと、を含み、保護期間は第３シンボルにより先行される。
【０１９８】
具体的には、第２サブフレームはＰ個のシンボルを含み、最初のａ個のシンボルはダウンリンクサービス送信のために使用されるダウンリンクパイロットタイムスロットであり、最後のｂ個のシンボルは保護期間であり、ａ＝Ｐ／２、且つｂ＝Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルは保護期間であり、Ｐ＝ａ＋ｂ、且つａ＞Ｐ／２である。
【０１９９】
任意的に、第２サブフレームは、アップリンクサービス送信のために使用される少なくとも１つの第４シンボルを更に含み、第４シンボルは保護期間により先行される。
【０２００】
具体的には、第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、且つａ≦Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【０２０１】
任意的に、通信機９０１は、具体的には、次のように構成される：
基地局のために、ブロードキャストメッセージを用いることにより、ＵＥへ無線フレーム構成情報を送信し、
基地局のために、無線リソース制御ＲＲＣ専用シグナリング、媒体アクセス制御ＭＡＣシグナリング、又は物理ダウンリンク制御チャネルＰＤＣＣＨシグナリングを用いることにより、ＵＥへ無線フレーム構成情報を送信する。
【０２０２】
本発明の一実施形態は、ユーザ機器を提供する。図１０に示すように、ユーザ機器は以下を含む：
通信機１００１、プロセッサ１００２、バス１００３、及びメモリ１００４。
【０２０３】
通信機１００１、プロセッサ１００２及びメモリ１００４は、バス１００３を用いることにより互いに接続される。バス１００３は、周辺機器相互接続（peripheral  component  interconnect、略してＰＣＩ）バス、拡張業界標準アーキテクチャ（extended  industry  standard  architecture、略してＥＩＳＡ）バス、等であって良い。バスは、アドレスバス、データバス、制御バス、等に分類できる。指示の便宜上、バスは、図１０に１本の太線のみを用いることにより表されるが、１本のみのバス又は１種類のみのバスが存在することを示すものではない。
【０２０４】
メモリ１００４は、実行可能プログラムを格納するよう構成される。
【０２０５】
プロセッサ１００２は、以下を実行するために、メモリ１００４に格納された実行可能プログラムを実行するよう構成される：
通信機１００１により、基地局により送信された無線フレーム構成情報を受信するステップと、通信機１００１により受信された無線フレーム構成情報に従い、プロセッサ１００２により、１つの無線フレームのＮ個の連続するダウンリンクサブフレームのうちの少なくとも１つが第１サブフレームとして構成されることを決定し、及び／又は１つの無線フレームのＭ個の連続するアップリンクサブフレームのうちの少なくとも１つが第２サブフレームとして構成されることを決定するステップであって、第１サブフレームはアップリンクサービス送信のために使用され、第２サブフレームはダウンリンクサービス送信のために使用され、Ｎ及びＭは２以上の正整数である、ステップと、無線フレーム構成情報に従い決定された無線フレームを用いることにより、基地局と通信するステップ。
【０２０６】
任意的に、第１サブフレームは、保護期間と、アップリンクサービス送信のために使用される少なくとも１つの第１シンボルと、を含み、保護期間は第１シンボルに先行する。
【０２０７】
具体的には、第１サブフレームはＣ個のシンボルを含み、最初のｘ個のシンボルは保護期間であり、最後のｙ個のシンボルはアップリンクサービス送信のために使用されるアップリンクパイロットタイムスロットであり、ｘ＝Ｃ／２且つｙ＝Ｃ／２である。あるいは、
第１サブフレームはＣ個のシンボルを含み、最初のｘ個のシンボルは保護期間であり、最後のｙ個のシンボルはアップリンクサービス送信のために使用されるアップリンクパイロットタイムスロットであり、Ｃ＝ｘ＋ｙ且つｘ＞Ｃ／２である。
【０２０８】
さらに、第１サブフレームは、ダウンリンクサービス送信のために使用される少なくとも１つの第２シンボルを更に含み、第２シンボルは保護期間に先行する。
【０２０９】
具体的には、第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、且つｘ≦Ｃ／２である。あるいは、
第１サブフレームはＣ個のシンボルを含み、最初のｘ個のシンボルはダウンリンクサービス送信のために使用されるダウンリンクパイロットタイムスロットであり、最後のｙ個のシンボルはアップリンクサービス送信のために使用されるアップリンクパイロットタイムスロットであり、中間のｚ個のシンボルは保護期間であり、Ｃ＝ｘ＋ｙ＋ｚ、ｘ＜Ｃ／２、且つｙ＝Ｃ／２である。
【０２１０】
任意的に、第２サブフレームは、保護期間と、ダウンリンクサービス送信のために使用される少なくとも１つの第３シンボルと、を含み、保護期間は第３シンボルにより先行される。
【０２１１】
具体的には、第２サブフレームはＰ個のシンボルを含み、最初のａ個のシンボルはダウンリンクサービス送信のために使用されるダウンリンクパイロットタイムスロットであり、最後のｂ個のシンボルは保護期間であり、ａ＝Ｐ／２、且つｂ＝Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルは保護期間であり、Ｐ＝ａ＋ｂ、且つａ＞Ｐ／２である。
【０２１２】
さらに、第２サブフレームは、アップリンクサービス送信のために使用される少なくとも１つの第４シンボルを更に含み、第４シンボルは保護期間により先行される。
【０２１３】
具体的には、第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、且つａ≦Ｐ／２である。あるいは、
第２サブフレームはＰ個のシンボルを含み、最初のａ個のシンボルはダウンリンクサービス送信のために使用されるダウンリンクパイロットタイムスロットであり、最後のｂ個のシンボルはアップリンクサービス送信のために使用されるアップリンクパイロットタイムスロットであり、中間のｗ個のシンボルは保護期間であり、Ｐ＝ａ＋ｂ＋ｗ、ａ＜Ｐ／２、且つｂ＝Ｐ／２である。
【０２１４】
当業者は、本発明の実施形態が方法、システム、又はコンピュータプログラム製品として提供されて良いことを理解すべきである。したがって、本発明は、ハードウェアのみの実施形態、ソフトウェアのみの実施形態、又はソフトウェアとハードウェアとの組合せを有する実施形態の形式を使用して良い。さらに、本発明は、コンピュータ使用可能プログラムコードを含む１又は複数のコンピュータ使用可能記憶媒体（磁気ディスクメモリ、ＣＤ−ＲＯＭ、光メモリ、等を含むが、これらに限定されない）に実装されるコンピュータプログラム製品の形式を使用して良い。
【０２１５】
本発明は、本発明の実施形態による方法、装置（システム）及びコンピュータプログラム製品のフローチャート及び／又はブロック図を参照して記載される。理解されるべきことに、コンピュータプログラム命令は、フローチャート及び／又はブロック図の中の各々の処理及び／又は各々のブロック、及び／又はフローチャート及び／又はブロック図の中の処理及び／又はブロックの組合せを実施するために使用されて良い。これらのコンピュータプログラム命令は、機械を生成するために、汎用コンピュータ、専用コンピュータ、内蔵プロセッサ、又は任意の他のプログラマブルデータ処理装置のプロセッサに対して提供されて良く、したがって、コンピュータ又は任意の他のプログラマブルデータ処理装置のプロセッサにより実行される命令は、フローチャートの中の１又は複数の処理及び／又はブロック図の中の１又は複数のブロックの中の特定の機能を実装する装置を生成できるようにする。
【０２１６】
これらのコンピュータプログラム命令は、コンピュータ又は任意の他のプログラマブルデータ処理装置に特定の方法で動作するよう指示できるコンピュータ可読メモリに格納されて良く、したがって、コンピュータ可読メモリに格納された命令は、命令装置を含む製品を生成できる。命令装置は、フローチャートの中の１又は複数の処理の中の及び／又はブロック図の中の１又は複数のブロックの中の特定の機能を実装する。
【０２１７】
これらのコンピュータプログラム命令は、コンピュータ又は別のプログラマブルデータ処理装置にロードされて良く、したがって、一連の動作及びステップが該コンピュータ又は別のプログラマブル装置で実行され、それによりコンピュータにより実施される処理を生成する。したがって、コンピュータ又は別のプログラマブル装置で実行される命令は、フローチャートの中の１又は複数の処理の中の及び／又はブロック図の中の１又は複数のブロックの中の特定の機能を実施するステップを提供する。
【０２１８】
本発明の実施形態が記載されたが、当業者は、基本的な発明の概念を学習すると、これらの実施形態に変化及び変更を行うことができる。したがって、添付の請求項は、実施形態及び本発明の範囲に包含される全ての変化及び変更を含むものと解釈されるべきである。
【０２１９】
明らかに、当業者は、本発明の実施形態の精神及び範囲から逸脱することなく本発明の実施形態に種々の変更及び変形をなし得る。本発明は、これらの変更及び変形が本発明の請求の範囲及びそれらの等価技術に包含される場合、本発明の実施形態に対するこれらの変更及び変形を包含することを意図する。
【図１】
0006580698.tif 000014
【図２】
0006580698.tif 000015
【図３】
0006580698.tif 000016
【図４】
0006580698.tif 000017
【図５】
0006580698.tif 000018
【図６】
0006580698.tif 000019
【図７】
0006580698.tif 000020
【図８】
0006580698.tif 000021
【図９】
0006580698.tif 000022
【図１０】
0006580698.tif 000023